(57)【要約】  無認可スペクトルにおける共通基準信号（ＣＲＳ）ベースの送信モード（ＴＭ）と復調基準信号（ＤＭ−ＲＳ）ベースのＴＭとの間の調和のための技法に関係する様々な態様について説明する。一態様では、ダウンリンク／アップリンク（ＤＬ／ＵＬ）サブフレーム構成がサブフレームごとにシグナリングされることができる。ＤＬ／ＵＬサブフレーム構成によって与えられる情報は、それぞれのダウンリンクサブフレームが、（ＤＭ−ＲＳベースのＴＭに関連する）単一周波数ネットワーク（ＭＢＳＦＮ）サブフレームであるか（ＣＲＳベースのＴＭに関連する）非ＭＢＳＦＮサブフレームであるかを示すことができる。別の態様では、周期的ならびに非周期的チャネル状態情報（ＣＳＩ）報告要求がサポートされることができる。さらに別の態様では、無認可キャリアのための間欠受信（ＤＲＸ）ウェイクアップが、認可スペクトル中のキャリアを介してユーザ機器（ＵＥ）に明示的または暗黙的に示されることができる。
2018529260.tif 000002
【特許請求の範囲】
【請求項１】
ワイヤレス通信のための方法であって、
無認可スペクトルにわたるワイヤレスワイドエリアネットワーク（ＷＷＡＮ）通信のためのサブフレーム構成を識別することと、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示す、
前記サブフレーム構成の表示を少なくとも１つのユーザ機器（ＵＥ）に送信することと
を備える方法。
【請求項２】
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
請求項１に記載の方法。
【請求項３】
前記表示が、有効なダウンリンクサブフレームごとに送信される、請求項１に記載の方法。
【請求項４】
前記表示が、前記それぞれのダウンリンクサブフレーム中に少なくとも１つのＣＲＳシンボルを含む、請求項１に記載の方法。
【請求項５】
ＭＢＳＦＮサブフレーム中に存在するＣＲＳシンボルの数が、非ＭＢＳＦＮサブフレーム中に存在するＣＲＳシンボルの数とは異なる、請求項４に記載の方法。
【請求項６】
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、請求項１に記載の方法。
【請求項７】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項１に記載の方法。
【請求項８】
前記送信バーストにおける次のダウンリンクサブフレームに関連する次のサブフレーム構成を識別することをさらに備え、前記次のサブフレーム構成が、前記送信バーストにおけるダウンリンクまたはアップリンクサブフレームの修正された数を示す、請求項７に記載の方法。
【請求項９】
前記送信バーストのＭＢＳＦＮサブフレームの比が０％から１００％にわたる、請求項１に記載の方法。
【請求項１０】
ワイヤレス通信のための装置であって、
無認可スペクトルにわたるワイヤレスワイドエリアネットワーク（ＷＷＡＮ）通信のためのサブフレーム構成を識別するための手段と、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示す、
前記サブフレーム構成の表示を少なくとも１つのユーザ機器（ＵＥ）に送信するための手段と
を備える装置。
【請求項１１】
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
請求項１０に記載の装置。
【請求項１２】
前記表示が、有効なダウンリンクサブフレームごとに送信される、請求項１０に記載の装置。
【請求項１３】
前記表示が、前記それぞれのダウンリンクサブフレーム中に少なくとも１つのＣＲＳシンボルを含む、請求項１０に記載の装置。
【請求項１４】
ＭＢＳＦＮサブフレーム中に存在するＣＲＳシンボルの数が、非ＭＢＳＦＮサブフレーム中に存在するＣＲＳシンボルの数とは異なる、請求項１３に記載の装置。
【請求項１５】
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、請求項１０に記載の装置。
【請求項１６】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項１０に記載の装置。
【請求項１７】
前記送信バーストにおける次のダウンリンクサブフレームに関連する次のサブフレーム構成を識別するための手段をさらに備え、前記次のサブフレーム構成が、前記送信バーストにおけるダウンリンクまたはアップリンクサブフレームの修正された数を示す、請求項１６に記載の装置。
【請求項１８】
前記送信バーストのＭＢＳＦＮサブフレームの比が０％から１００％にわたる、請求項１０に記載の装置。
【請求項１９】
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、
無認可スペクトルにわたるワイヤレスワイドエリアネットワーク（ＷＷＡＮ）通信のためのサブフレーム構成を識別することと、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示す、
前記トランシーバを介して、前記サブフレーム構成の表示を少なくとも１つのユーザ機器（ＵＥ）に送信することと
を行うために前記データの少なくとも一部分を処理するための命令を実行するように構成された、装置。
【請求項２０】
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
請求項１９に記載の装置。
【請求項２１】
前記表示が、有効なダウンリンクサブフレームごとに送信される、請求項１９に記載の装置。
【請求項２２】
前記表示が、前記それぞれのダウンリンクサブフレーム中に少なくとも１つのＣＲＳシンボルを含む、請求項１９に記載の装置。
【請求項２３】
ＭＢＳＦＮサブフレーム中に存在するＣＲＳシンボルの数が、非ＭＢＳＦＮサブフレーム中に存在するＣＲＳシンボルの数とは異なる、請求項２２に記載の装置。
【請求項２４】
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、請求項１９に記載の装置。
【請求項２５】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項１９に記載の装置。
【請求項２６】
前記プロセッサおよび前記メモリが、前記送信バーストにおける次のダウンリンクサブフレームに関連する次のサブフレーム構成を識別するようにさらに構成され、前記次のサブフレーム構成が、前記送信バーストにおけるダウンリンクまたはアップリンクサブフレームの修正された数を示す、請求項２５に記載の装置。
【請求項２７】
前記送信バーストのＭＢＳＦＮサブフレームの比が０％から１００％にわたる、請求項１９に記載の装置。
【請求項２８】
無認可スペクトルにわたるワイヤレスワイドエリアネットワーク（ＷＷＡＮ）通信のためのサブフレーム構成を識別するためのコードと、前記サブフレーム構成は、送信バーストにおけるそれぞれのダウンリンクサブフレームがマルチキャストブロードキャスト単一周波数ネットワーク（ＭＢＳＦＮ）サブフレームに対応するか非ＭＢＳＦＮサブフレームに対応するかを示す、
前記サブフレーム構成の表示を少なくとも１つのユーザ機器（ＵＥ）に送信するためのコードと
を備える、ワイヤレス通信のための実行可能コードを記憶するコンピュータ可読媒体。
【請求項２９】
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
請求項２８に記載のコンピュータ可読媒体。
【請求項３０】
前記表示が、有効なダウンリンクサブフレームごとに送信される、請求項２８に記載のコンピュータ可読媒体。
【請求項３１】
前記表示が、前記それぞれのダウンリンクサブフレーム中に少なくとも１つのＣＲＳシンボルを含む、請求項２８に記載のコンピュータ可読媒体。
【請求項３２】
ＭＢＳＦＮサブフレーム中に存在するＣＲＳシンボルの数が、非ＭＢＳＦＮサブフレーム中に存在するＣＲＳシンボルの数とは異なる、請求項３１に記載のコンピュータ可読媒体。
【請求項３３】
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、請求項２８に記載のコンピュータ可読媒体。
【請求項３４】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項２８に記載のコンピュータ可読媒体。
【請求項３５】
前記送信バーストにおける次のダウンリンクサブフレームに関連する次のサブフレーム構成を識別するためのコードをさらに備え、前記次のサブフレーム構成が、前記送信バーストにおけるダウンリンクまたはアップリンクサブフレームの修正された数を示す、請求項３４に記載のコンピュータ可読媒体。
【請求項３６】
前記送信バーストのＭＢＳＦＮサブフレームの比が０％から１００％にわたる、請求項２８に記載のコンピュータ可読媒体。
【請求項３７】
ワイヤレス通信のための方法であって、
ネットワークエンティティから、無認可スペクトルにわたるワイヤレスワイドエリアネットワーク（ＷＷＡＮ）通信のためのサブフレーム構成の表示を受信することと、前記サブフレーム構成が、送信バーストにおける現在のダウンリンクサブフレームに関連する、
前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定することと
を備える方法。
【請求項３８】
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
請求項３７に記載の方法。
【請求項３９】
前記表示が、有効なダウンリンクサブフレームごとに前記ネットワークエンティティによって送信される、請求項３７に記載の方法。
【請求項４０】
前記表示が、前記それぞれのダウンリンクサブフレーム中に少なくとも１つのＣＲＳシンボルを含む、請求項３７に記載の方法。
【請求項４１】
ＭＢＳＦＮサブフレーム中に存在するＣＲＳシンボルの数が、非ＭＢＳＦＮサブフレーム中に存在するＣＲＳシンボルの数とは異なる、請求項４０に記載の方法。
【請求項４２】
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、請求項３７に記載の方法。
【請求項４３】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項３７に記載の方法。
【請求項４４】
前記送信バーストにおける次のダウンリンクサブフレームに関連する次のサブフレーム構成を受信することをさらに備え、前記次のサブフレーム構成が、前記送信バーストにおけるダウンリンクまたはアップリンクサブフレームの修正された数を示す、請求項４３に記載の方法。
【請求項４５】
前記送信バーストのＭＢＳＦＮサブフレームの比が０％から１００％にわたる、請求項３７に記載の方法。
【請求項４６】
ワイヤレス通信のための装置であって、
ネットワークエンティティから、無認可スペクトルにわたるワイヤレスワイドエリアネットワーク（ＷＷＡＮ）通信のためのサブフレーム構成の表示を受信するための手段と、前記サブフレーム構成が、送信バーストにおける現在のダウンリンクサブフレームに関連する、
前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定するための手段と
を備える装置。
【請求項４７】
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
請求項４６に記載の装置。
【請求項４８】
前記表示が、有効なダウンリンクサブフレームごとに前記ネットワークエンティティによって送信される、請求項４６に記載の装置。
【請求項４９】
前記表示が、前記それぞれのダウンリンクサブフレーム中に少なくとも１つのＣＲＳシンボルを含む、請求項４６に記載の装置。
【請求項５０】
ＭＢＳＦＮサブフレーム中に存在するＣＲＳシンボルの数が、非ＭＢＳＦＮサブフレーム中に存在するＣＲＳシンボルの数とは異なる、請求項４９に記載の装置。
【請求項５１】
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、請求項４６に記載の装置。
【請求項５２】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項４６に記載の装置。
【請求項５３】
前記送信バーストにおける次のダウンリンクサブフレームに関連する次のサブフレーム構成を受信するための手段をさらに備え、前記次のサブフレーム構成が、前記送信バーストにおけるダウンリンクまたはアップリンクサブフレームの修正された数を示す、請求項５２に記載の装置。
【請求項５４】
前記送信バーストのＭＢＳＦＮサブフレームの比が０％から１００％にわたる、請求項４６に記載の装置。
【請求項５５】
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、
前記トランシーバを介しておよびネットワークエンティティから、無認可スペクトルにわたるワイヤレスワイドエリアネットワーク（ＷＷＡＮ）通信のためのサブフレーム構成の表示を受信することと、前記サブフレーム構成が、送信バーストにおける現在のダウンリンクサブフレームに関連する、
前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定することと
を行うために前記データの少なくとも一部分を処理するための命令を実行するように構成された、装置。
【請求項５６】
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
請求項５５に記載の装置。
【請求項５７】
前記表示が、有効なダウンリンクサブフレームごとに前記ネットワークエンティティによって送信される、請求項５５に記載の装置。
【請求項５８】
前記表示が、前記それぞれのダウンリンクサブフレーム中に少なくとも１つのＣＲＳシンボルを含む、請求項５５に記載の装置。
【請求項５９】
ＭＢＳＦＮサブフレーム中に存在するＣＲＳシンボルの数が、非ＭＢＳＦＮサブフレーム中に存在するＣＲＳシンボルの数とは異なる、請求項５８に記載の装置。
【請求項６０】
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、請求項５５に記載の装置。
【請求項６１】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項５５に記載の装置。
【請求項６２】
前記プロセッサおよび前記メモリが、前記送信バーストにおける次のダウンリンクサブフレームに関連する次のサブフレーム構成を受信するようにさらに構成され、前記次のサブフレーム構成が、前記送信バーストにおけるダウンリンクまたはアップリンクサブフレームの修正された数を示す、請求項６１に記載の装置。
【請求項６３】
前記送信バーストのＭＢＳＦＮサブフレームの比が０％から１００％にわたる、請求項５５に記載の装置。
【請求項６４】
ネットワークエンティティから、無認可スペクトルにわたるワイヤレスワイドエリアネットワーク（ＷＷＡＮ）通信のためのサブフレーム構成の表示を受信するためのコードと、前記サブフレーム構成が、送信バーストにおける現在のダウンリンクサブフレームに関連する、
前記表示に基づいて前記現在のダウンリンクサブフレームがマルチキャストブロードキャスト単一周波数ネットワーク（ＭＢＳＦＮ）サブフレームであるか非ＭＢＳＦＮサブフレームであるかを決定するためのコードと
を備える、ワイヤレス通信のための実行可能コードを記憶するコンピュータ可読媒体。
【請求項６５】
前記ＭＢＳＦＮサブフレームが、復調基準信号（ＤＭ−ＲＳ）に基づいて前記無認可スペクトルにわたる送信モードをサポートし、
前記非ＭＢＳＦＮサブフレームが、共通基準信号（ＣＲＳ）に基づいて前記無認可スペクトルにわたる送信モードをサポートする、
請求項６４に記載のコンピュータ可読媒体。
【請求項６６】
前記表示が、有効なダウンリンクサブフレームごとに前記ネットワークエンティティによって送信される、請求項６４に記載のコンピュータ可読媒体。
【請求項６７】
前記表示が、前記それぞれのダウンリンクサブフレーム中に少なくとも１つのＣＲＳシンボルを含む、請求項６４に記載のコンピュータ可読媒体。
【請求項６８】
ＭＢＳＦＮサブフレーム中に存在するＣＲＳシンボルの数が、非ＭＢＳＦＮサブフレーム中に存在するＣＲＳシンボルの数とは異なる、請求項６７に記載のコンピュータ可読媒体。
【請求項６９】
前記表示が、
物理制御フォーマットインジケータチャネル（ＰＣＦＩＣＨ）中の少なくとも１ビットと、
物理ハイブリッドＡＲＱインジケータチャネル（ＰＨＩＣＨ）中の少なくとも１ビットと、
物理ダウンリンク制御チャネル（ＰＤＣＣＨまたはＥＰＤＣＣＨ）中の少なくとも１ビットと、
レイヤ１シグナリングを使用して前記少なくとも１つのＵＥに割り当てられた少なくとも１ビットと
のうちの１つを含む、請求項６４に記載のコンピュータ可読媒体。
【請求項７０】
前記サブフレーム構成は、それぞれのダウンリンクサブフレームを含む、前記送信バーストにおける前記ダウンリンクサブフレームの数と、前記送信バーストにおけるアップリンクサブフレームの数とをさらに示す、請求項６４に記載のコンピュータ可読媒体。
【請求項７１】
前記送信バーストにおける次のダウンリンクサブフレームに関連する次のサブフレーム構成を受信するためのコードをさらに備え、前記次のサブフレーム構成が、前記送信バーストにおけるダウンリンクまたはアップリンクサブフレームの修正された数を示す、請求項７０に記載のコンピュータ可読媒体。
【請求項７２】
前記送信バーストのＭＢＳＦＮサブフレームの比が０％から１００％にわたる、請求項６４に記載のコンピュータ可読媒体。
【請求項７３】
ワイヤレス通信のための方法であって、
無認可スペクトルにわたるワイヤレスワイドエリアネットワーク（ＷＷＡＮ）通信に関連するチャネル状態情報（ＣＳＩ）のための非周期的に送信されるリソースを識別することと、
ユーザ機器（ＵＥ）のセットに前記リソースの表示と非周期的ＣＳＩ報告についての要求とを送信することと
を備える方法。
【請求項７４】
前記表示を送信することが、前記リソースを有する前記サブフレームの少なくとも１サブフレーム前に、前記表示を送信することを備える、請求項７３に記載の方法。
【請求項７５】
前記サブフレーム中にスケジュールされたＵＥによるレートマッチングのための１つまたは複数のＣＳＩリソースの存在についての第２の表示を送信することをさらに備える、請求項７３に記載の方法。
【請求項７６】
前記リソースが、ＣＳＩ基準信号（ＣＳＩ−ＲＳ）リソースまたはＣＳＩ干渉測定（ＣＳＩ−ＩＭ）リソースの一方または両方を含む、請求項７３に記載の方法。
【請求項７７】
ワイヤレス通信のための装置であって、
無認可スペクトルにわたるワイヤレスワイドエリアネットワーク（ＷＷＡＮ）通信に関連するチャネル状態情報（ＣＳＩ）のためのリソースを識別するための手段と、
ユーザ機器（ＵＥ）のセットに前記リソースの表示と非周期的ＣＳＩ報告についての要求とを送信するための手段と
を備える装置。
【請求項７８】
前記表示を送信するための前記手段が、前記リソースを有する前記サブフレームの少なくとも１サブフレーム前に、前記表示を送信するための手段を備える、請求項７７に記載の装置。
【請求項７９】
前記サブフレーム中にスケジュールされたＵＥによるレートマッチングのための１つまたは複数のＣＳＩリソースの存在についての第２の表示を送信するための手段をさらに備える、請求項７７に記載の装置。
【請求項８０】
前記リソースが、ＣＳＩ基準信号（ＣＳＩ−ＲＳ）リソースまたはＣＳＩ干渉測定（ＣＳＩ−ＩＭ）リソースの一方または両方を含む、請求項７７に記載の装置。
【請求項８１】
トランシーバと、
データを記憶するように構成されたメモリと、
前記トランシーバおよび前記メモリに通信可能に結合されたプロセッサと
無認可スペクトルにわたるワイヤレスワイドエリアネットワーク（ＷＷＡＮ）通信に関連するチャネル状態情報（ＣＳＩ）のためのリソースを識別することと、
を備える、ワイヤレス通信のための装置であって、前記プロセッサおよび前記メモリは、
前記トランシーバを介して、ユーザ機器（ＵＥ）のセットに前記リソースの表示と非周期的ＣＳＩ報告についての要求とを送信することと
を行うために前記データの少なくとも一部分を処理するための命令を実行するように構成された、装置。
【請求項８２】
前記表示を送信するように構成された前記プロセッサおよび前記メモリが、前記リソースを有する前記サブフレームの少なくとも１サブフレーム前に、前記表示を送信するようにさらに構成された、請求項８１に記載の装置。
【請求項８３】
前記プロセッサおよび前記メモリが、前記サブフレーム中にスケジュールされたＵＥによるレートマッチングのための１つまたは複数のＣＳＩリソースの存在についての第２の表示を送信するようにさらに構成された、請求項８１に記載の装置。
【請求項８４】
前記リソースが、ＣＳＩ基準信号（ＣＳＩ−ＲＳ）リソースまたはＣＳＩ干渉測定（ＣＳＩ−ＩＭ）リソースの一方または両方を含む、請求項８１に記載の装置。
【請求項８５】
無認可スペクトルにわたるワイヤレスワイドエリアネットワーク（ＷＷＡＮ）通信に関連するチャネル状態情報（ＣＳＩ）のためのリソースを識別するためのコードと、
ユーザ機器（ＵＥ）のセットに前記リソースの表示と非周期的ＣＳＩ報告についての要求とを送信するためのコードと
を備える、ワイヤレス通信のための実行可能コードを記憶するコンピュータ可読媒体。
【請求項８６】
前記表示を送信するための前記コードが、前記リソースを有する前記サブフレームの少なくとも１サブフレーム前に、前記表示を送信するためのコードを備える、請求項８５に記載のコンピュータ可読媒体。
【請求項８７】
前記サブフレーム中にスケジュールされたＵＥによるレートマッチングのための１つまたは複数のＣＳＩリソースの存在についての第２の表示を送信するためのコードをさらに備える、請求項８５に記載のコンピュータ可読媒体。
【請求項８８】
前記リソースが、ＣＳＩ基準信号（ＣＳＩ−ＲＳ）リソースまたはＣＳＩ干渉測定（ＣＳＩ−ＩＭ）リソースの一方または両方を含む、請求項８５に記載のコンピュータ可読媒体。
【請求項８９】
ワイヤレス通信のための方法であって、
ネットワークエンティティから、無認可スペクトルにわたるワイヤレスワイドエリアネットワーク（ＷＷＡＮ）通信に関連するチャネル状態情報（ＣＳＩ）のための非周期的に送信されるリソースの表示と、非周期的ＣＳＩ報告についての要求とを受信することと、
前記リソースの前記表示に少なくとも部分的に基づいてＣＳＩ測定および前記非周期的ＣＳＩ報告を実施することと
を備える方法。
【請求項９０】
前記表示を受信することが、前記リソースを有する前記サブフレームの少なくとも１サブフレーム前に、前記表示を受信することを備える、請求項８９に記載の方法。
【請求項９１】
前記サブフレーム中にスケジュールされたＵＥによるレートマッチングのための１つまたは複数のＣＳＩリソースの存在についての第２の表示を受信することをさらに備える、請求項８９に記載の方法。
【請求項９２】
前記リソースが、ＣＳＩ基準信号（ＣＳＩ−ＲＳ）リソースまたはＣＳＩ干渉測定（ＣＳＩ−ＩＭ）リソースの一方または両方を含む、請求項８９に記載の方法。
【請求項９３】
ワイヤレス通信のための装置であって、
ネットワークエンティティから、無認可スペクトルにわたるワイヤレスワイドエリアネットワーク（ＷＷＡＮ）通信に関連するチャネル状態情報（ＣＳＩ）のためのリソースの表示と、非周期的ＣＳＩ報告についての要求とを受信するための手段と、
前記リソースの前記表示に少なくとも部分的に基づいてＣＳＩ測定および前記非周期的ＣＳＩ報告を実施するための手段と
を備える装置。
【請求項９４】
前記表示を受信するための前記手段が、前記リソースを有する前記サブフレームの少なくとも１サブフレーム前に、前記表示を受信するための手段を備える、請求項９３に記載の装置。
【請求項９５】
前記サブフレーム中にスケジュールされたＵＥによるレートマッチングのための１つまたは複数のＣＳＩリソースの存在についての第２の表示を受信するための手段をさらに備える、請求項９３に記載の装置。
【請求項９６】
前記リソースが、ＣＳＩ基準信号（ＣＳＩ−ＲＳ）リソースまたはＣＳＩ干渉測定（ＣＳＩ−ＩＭ）リソースの一方または両方を含む、請求項９３に記載の装置。
【請求項９７】
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、
前記トランシーバを介しておよびネットワークエンティティから、無認可スペクトルにわたるワイヤレスワイドエリアネットワーク（ＷＷＡＮ）通信に関連するチャネル状態情報（ＣＳＩ）のためのリソースの表示と、非周期的ＣＳＩ報告についての要求とを受信するための手段と、
前記リソースの前記表示に少なくとも部分的に基づいてＣＳＩ測定および前記非周期的ＣＳＩ報告を実施するための手段と
のために前記データの少なくとも一部分を処理するための命令を実行するように構成された、装置。
【請求項９８】
前記表示を受信するように構成された前記プロセッサおよび前記メモリが、前記リソースを有する前記サブフレームの少なくとも１サブフレーム前に、前記表示を受信するようにさらに構成された、請求項９７に記載の装置。
【請求項９９】
前記プロセッサおよび前記メモリが、前記サブフレーム中にスケジュールされたＵＥによるレートマッチングのための１つまたは複数のＣＳＩリソースの存在についての第２の表示を受信するように構成された、請求項９７に記載の装置。
【請求項１００】
前記リソースが、ＣＳＩ基準信号（ＣＳＩ−ＲＳ）リソースまたはＣＳＩ干渉測定（ＣＳＩ−ＩＭ）リソースの一方または両方を含む、請求項９７に記載の装置。
【請求項１０１】
ネットワークエンティティから、無認可スペクトルにわたるワイヤレスワイドエリアネットワーク（ＷＷＡＮ）通信に関連するチャネル状態情報（ＣＳＩ）のためのリソースの表示と、非周期的ＣＳＩ報告についての要求とを受信するためのコードと、
前記リソースの前記表示に少なくとも部分的に基づいてＣＳＩ測定および前記非周期的ＣＳＩ報告を実施するためのコードと
を備える、ワイヤレス通信のための実行可能コードを記憶するコンピュータ可読媒体。
【請求項１０２】
前記表示を受信するための前記コードが、前記リソースを有する前記サブフレームの少なくとも１サブフレーム前に、前記表示を受信するためのコードを備える、請求項１０１に記載のコンピュータ可読媒体。
【請求項１０３】
前記サブフレーム中にスケジュールされたＵＥによるレートマッチングのための１つまたは複数のＣＳＩリソースの存在についての第２の表示を受信するためのコードをさらに備える、請求項１０１に記載のコンピュータ可読媒体。
【請求項１０４】
前記リソースが、ＣＳＩ基準信号（ＣＳＩ−ＲＳ）リソースまたはＣＳＩ干渉測定（ＣＳＩ−ＩＭ）リソースの一方または両方を含む、請求項１０１に記載のコンピュータ可読媒体。
【請求項１０５】
ワイヤレス通信のための方法であって、
ユーザ機器（ＵＥ）が無認可スペクトルにわたって１つまたは複数のキャリアを扱うために前記無認可スペクトルにおいて間欠受信（ＤＲＸ）ＯＦＦ期間からウェイクアップすべきであると決定することと、
前記無認可スペクトルにおいて前記ＤＲＸ  ＯＦＦ期間からウェイクアップするように、認可スペクトル中のキャリアを介して前記ＵＥに表示を送信することと
を備える方法。
【請求項１０６】
前記表示は、前記ＵＥが前記認可スペクトルにおいて前記ＤＲＸ  ＯＦＦ期間からウェイクアップした後に前記表示が前記ＵＥによって受信されるように送信される、請求項１０５に記載の方法。
【請求項１０７】
前記表示が、ダウンリンク（ＤＬ）許可を伴う明示的表示または暗黙的表示である、請求項１０５に記載の方法。
【請求項１０８】
前記表示が、前記無認可スペクトル中の構成されたキャリアのサブセットのみをウェイクアップすることである、請求項１０５に記載の方法。
【請求項１０９】
ワイヤレス通信のための装置であって、
ユーザ機器（ＵＥ）が無認可スペクトルにわたって１つまたは複数のキャリアを扱うために前記無認可スペクトルにおいて間欠受信（ＤＲＸ）ＯＦＦ期間からウェイクアップすべきであると決定するための手段と、
前記無認可スペクトルにおいて前記ＤＲＸ  ＯＦＦ期間からウェイクアップするように、認可スペクトル中のキャリアを介して前記ＵＥに表示を送信するための手段と
を備える装置。
【請求項１１０】
前記表示は、前記ＵＥが前記認可スペクトルにおいて前記ＤＲＸ  ＯＦＦ期間からウェイクアップした後に前記表示が前記ＵＥによって受信されるように送信される、請求項１０９に記載の装置。
【請求項１１１】
前記表示が、ダウンリンク（ＤＬ）許可を伴う明示的表示または暗黙的表示である、請求項１０９に記載の装置。
【請求項１１２】
前記表示が、前記無認可スペクトル中の構成されたキャリアのサブセットのみをウェイクアップすることである、請求項１０９に記載の装置。
【請求項１１３】
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、
ユーザ機器（ＵＥ）が無認可スペクトルにわたって１つまたは複数のキャリアを扱うために前記無認可スペクトルにおいて間欠受信（ＤＲＸ）ＯＦＦ期間からウェイクアップすべきであると決定することと、
前記無認可スペクトルにおいて前記ＤＲＸ  ＯＦＦ期間からウェイクアップするように、認可スペクトル中のキャリアおよび前記トランシーバを介して前記ＵＥに表示を送信することと
を行うために前記データの少なくとも一部分を処理するための命令を実行するように構成された、装置。
【請求項１１４】
前記表示は、前記ＵＥが前記認可スペクトルにおいて前記ＤＲＸ  ＯＦＦ期間からウェイクアップした後に前記表示が前記ＵＥによって受信されるように送信される、請求項１０５に記載の装置。
【請求項１１５】
前記表示が、ダウンリンク（ＤＬ）許可を伴う明示的表示または暗黙的表示である、請求項１０５に記載の装置。
【請求項１１６】
前記表示が、前記無認可スペクトル中の構成されたキャリアのサブセットのみをウェイクアップすることである、請求項１０５に記載の装置。
【請求項１１７】
ユーザ機器（ＵＥ）が無認可スペクトルにわたって１つまたは複数のキャリアを扱うために前記無認可スペクトルにおいて間欠受信（ＤＲＸ）ＯＦＦ期間からウェイクアップすべきであると決定するためのコードと、
前記無認可スペクトルにおいて前記ＤＲＸ  ＯＦＦ期間からウェイクアップするための表示を認可スペクトル中のキャリアを介して前記ＵＥに送信するためのコードと
を備える、ワイヤレス通信のための実行可能コードを記憶するコンピュータ可読媒体。
【請求項１１８】
前記表示は、前記ＵＥが前記認可スペクトルにおいて前記ＤＲＸ  ＯＦＦ期間からウェイクアップした後に前記表示が前記ＵＥによって受信されるように送信される、請求項１１７に記載のコンピュータ可読媒体。
【請求項１１９】
前記表示が、ダウンリンク（ＤＬ）許可を伴う明示的表または暗黙的表示である、請求項１１７に記載のコンピュータ可読媒体。
【請求項１２０】
前記表示が、前記無認可スペクトル中の構成されたキャリアのサブセットのみをウェイクアップすることである、請求項１１７に記載のコンピュータ可読媒体。
【請求項１２１】
ワイヤレス通信のための方法であって、
ユーザ機器（ＵＥ）においておよび認可スペクトル中のキャリアを介して、前記ＵＥが無認可スペクトルにわたって１つまたは複数のキャリアを扱うために前記無認可スペクトルにおいて間欠受信（ＤＲＸ）ＯＦＦ期間からウェイクアップすべきであるという表示を受信することと、
前記表示を受信したことに応答して、前記無認可スペクトルにおいて前記ＤＲＸ  ＯＦＦ期間からウェイクアップすることと
を備える方法。
【請求項１２２】
前記ＵＥが前記認可スペクトルにおいて前記ＤＲＸ  ＯＦＦ期間からウェイクアップした後に前記表示が前記ＵＥによって受信される、請求項１２１に記載の方法。
【請求項１２３】
前記表示が、ダウンリンク（ＤＬ）許可を伴う明示的表示または暗黙的表示である、請求項１２１に記載の方法。
【請求項１２４】
前記表示が、前記無認可スペクトル中の構成されたキャリアのサブセットのみをウェイクアップすることである、請求項１２１に記載の方法。
【請求項１２５】
ワイヤレス通信のための装置であって、
ユーザ機器（ＵＥ）においておよび認可スペクトル中のキャリアを介して、前記ＵＥが無認可スペクトルにわたって１つまたは複数のキャリアを扱うために前記無認可スペクトルにおいて間欠受信（ＤＲＸ）ＯＦＦ期間からウェイクアップすべきであるという表示を受信するための手段と、
前記表示を受信したことに応答して、前記無認可スペクトルにおいて前記ＤＲＸ  ＯＦＦ期間からウェイクアップするための手段と
を備える装置。
【請求項１２６】
前記ＵＥが前記認可スペクトルにおいて前記ＤＲＸ  ＯＦＦ期間からウェイクアップした後に前記表示が前記ＵＥによって受信される、請求項１２５に記載の装置。
【請求項１２７】
前記表示が、ダウンリンク（ＤＬ）許可を伴う明示的表示または暗黙的表示である、請求項１２５に記載の装置。
【請求項１２８】
前記表示が、前記無認可スペクトル中の構成されたキャリアのサブセットのみをウェイクアップすることである、請求項１２５に記載の装置。
【請求項１２９】
トランシーバと、
データを記憶するように構成されたメモリと、
前記トランシーバおよび前記メモリに通信可能に結合されたプロセッサと
を備える、ワイヤレス通信のための装置であって、前記プロセッサおよび前記メモリは、
ユーザ機器（ＵＥ）においておよび認可スペクトル中のキャリアを介して、前記ＵＥが無認可スペクトルにわたって１つまたは複数のキャリアを扱うために前記無認可スペクトルにおいて間欠受信（ＤＲＸ）ＯＦＦ期間からウェイクアップすべきであるという表示を受信することと、
前記表示を受信したことに応答して、前記無認可スペクトルにおいて前記ＤＲＸ  ＯＦＦ期間からウェイクアップすることと
を行うために前記データの少なくとも一部分を処理するための命令を実行するように構成された、装置。
【請求項１３０】
前記ＵＥが前記認可スペクトルにおいて前記ＤＲＸ  ＯＦＦ期間からウェイクアップした後に前記表示が前記ＵＥによって受信される、請求項１２９に記載の装置。
【請求項１３１】
前記表示が、ダウンリンク（ＤＬ）許可を伴う明示的表示または暗黙的表示である、請求項１２９に記載の装置。
【請求項１３２】
前記表示が、前記無認可スペクトル中の構成されたキャリアのサブセットのみをウェイクアップすることである、請求項１２９に記載の装置。
【請求項１３３】
ユーザ機器（ＵＥ）においておよび認可スペクトル中のキャリアを介して、前記ＵＥが無認可スペクトルにわたって１つまたは複数のキャリアを扱うために前記無認可スペクトルにおいて間欠受信（ＤＲＸ）ＯＦＦ期間からウェイクアップすべきであるという表示を受信するためのコードと、
前記表示を受信したことに応答して、前記無認可スペクトルにおいて前記ＤＲＸ  ＯＦＦ期間からウェイクアップするためのコードと
を備える、ワイヤレス通信のための実行可能コードを記憶するコンピュータ可読媒体。
【請求項１３４】
前記ＵＥが前記認可スペクトルにおいて前記ＤＲＸ  ＯＦＦ期間からウェイクアップした後に前記表示が前記ＵＥによって受信される、請求項１３３に記載のコンピュータ可読媒体。
【請求項１３５】
前記表示が、ダウンリンク（ＤＬ）許可を伴う明示的表示または暗黙的表示である、請求項１３３に記載のコンピュータ可読媒体。
【請求項１３６】
前記表示が、前記無認可スペクトル中の構成されたキャリアのサブセットのみをウェイクアップすることである、請求項１３３に記載のコンピュータ可読媒体。
【発明の詳細な説明】
【関連出願の相互参照】
【０００１】
[0001]本特許出願は、本出願の譲受人に譲渡され、参照により本明細書に明確に組み込まれる、２０１６年８月９日に出願された「ＴＥＣＨＮＩＱＵＥＳ  ＦＯＲ  ＨＡＲＭＯＮＩＺＡＴＩＯＮ  ＢＥＴＷＥＥＮ  ＣＲＳ  ＡＮＤ  ＤＭ−ＲＳ  ＢＡＳＥＤ  ＴＲＡＮＳＭＩＳＳＩＯＮ  ＭＯＤＥＳ  ＩＮ  ＵＮＬＩＣＥＮＳＥＤ  ＳＰＥＣＴＲＵＭ」と題する米国非仮出願第１５／２３２，６７２号、および２０１５年８月１０日に出願された「ＴＥＣＨＮＩＱＵＥＳ  ＦＯＲ  ＨＡＲＭＯＮＩＺＡＴＩＯＮ  ＢＥＴＷＥＥＮ  ＣＲＳ  ＡＮＤ  ＤＭ−ＲＳ  ＢＡＳＥＤ  ＴＲＡＮＳＭＩＳＳＩＯＮ  ＭＯＤＥＳ  ＩＮ  ＵＮＬＩＣＥＮＳＥＤ  ＳＰＥＣＴＲＵＭ」と題する米国仮出願第６２／２０３，２９５号の優先権を主張する。
【背景技術】
【０００２】
[0002]本開示の態様は、一般に電気通信に関し、より詳細には、無認可スペクトルにおける共通基準信号（ＣＲＳ：common reference signal）ベースの送信モード（ＴＭ：transmission mode）と復調基準信号（ＤＭ−ＲＳ：demodulation reference signal）ベースのＴＭとの間の調和のための技法に関する。
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００４】
[0004]ワイヤレス通信ネットワークはいくつかのネットワークエンティティを含み得る。
セルラーネットワーク（たとえば、ワイヤレスワイドエリアネットワークまたはＷＷＡＮ）のネットワークエンティティは、ノードＢ（ＮＢ）または発展型ノードＢ（ｅＮＢ）などのいくつかの基地局を含むことができる。ワイヤレスローカルエリアネットワーク（ＷＬＡＮ）のネットワークエンティティは、Ｗｉ−Ｆｉ（登録商標）ノードと呼ばれることができる、アクセスポイント（ＡＰ）などのいくつかのＷＬＡＮネットワークエンティティを含むことができる。各ネットワークエンティティは、いくつかのユーザ機器（ＵＥ）のための通信をサポートし得、しばしば、同時に複数のＵＥと通信することができる。
同様に、各ＵＥは、いくつかのネットワークエンティティと通信し得、時々、複数のネットワークエンティティおよび／または異なるアクセス技術を採用するネットワークエンティティと通信することができる。ネットワークエンティティは、ダウンリンクおよびアップリンクを介してＵＥと通信することができる。ダウンリンク（または順方向リンク）はネットワークエンティティからＵＥへの通信リンクを指し、アップリンク（または逆方向リンク）はＵＥからネットワークエンティティへの通信リンクを指す。
【０００５】
[0005]セルラーネットワークがより過密になるにつれて、事業者は、容量を増加させる方法に注目し始めている。１つの手法は、セルラーネットワーク（たとえば、ロングタームエボリューションまたはＬＴＥ(登録商標)）のトラフィックおよび／またはシグナリングの一部をオフロードするためのＷＬＡＮの使用を含むことができる。認可スペクトルで動作するセルラーネットワークとは異なり、Ｗｉ−Ｆｉネットワークは一般に無認可または共有スペクトルにおいて動作するので、ＷＬＡＮ（またはＷｉ−Ｆｉネットワーク）は魅力的である。しかしながら、無認可スペクトルへのアクセスは、無認可スペクトルにアクセスするための同じまたは異なる技法を使用する、同じまたは異なる事業者展開のネットワークエンティティが、共存し、無認可スペクトルの効果的な使用を行うことができることを保証するために協調を必要とし得る。
【０００６】
[0006]したがって、無認可スペクトルの増大する使用を仮定すれば、少なくとも複数の送信モードをサポートする効率的で改善されたプロセスを提供するための技法が必要とされる。
【発明の概要】
【０００７】
[0007]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後に提示されるより詳細な説明の導入として、１つまたは複数の態様のいくつかの概念を簡略化された形で提示することである。
【０００８】
[0008]一態様によれば、無認可スペクトルにおいてＣＲＳベースのＴＭとＤＭ−ＲＳベースのＴＭとの間で調和させるための本方法が提供される。説明する態様は、無認可スペクトルにわたるＷＷＡＮ通信のためのサブフレーム構成（たとえば、ダウンリンク／アップリンクサブフレーム構成またはＤＬ／ＵＬサブフレーム構成）を識別することを含み、サブフレーム構成は、送信バーストにおけるそれぞれのダウンリンクサブフレームがマルチキャストブロードキャスト単一周波数ネットワーク（ＭＢＳＦＮ：multicast-broadcast single-frequency network）サブフレームに対応するか非ＭＢＳＦＮサブフレームに対応するかを示す。説明する態様は、サブフレーム構成の表示を少なくとも１つのＵＥに送信することをさらに含む。
【０００９】
[0009]別の態様では、無認可スペクトルにおいてＣＲＳベースのＴＭとＤＭ−ＲＳベースのＴＭとの間で調和させるための本装置は、命令を記憶するように構成されたメモリと、メモリに通信可能に結合された１つまたは複数のプロセッサとを含み得、ここにおいて、１つまたは複数のプロセッサおよびメモリは、無認可スペクトルにわたるＷＷＡＮ通信のためのサブフレーム構成（たとえば、ダウンリンク／アップリンクサブフレーム構成またはＤＬ／ＵＬサブフレーム構成）を識別するように構成され、サブフレーム構成は、送信バーストにおけるそれぞれのダウンリンクサブフレームがＭＢＳＦＮサブフレームに対応するか非ＭＢＳＦＮサブフレームに対応するかを示す。説明する態様は、さらに、サブフレーム構成の表示を少なくとも１つのＵＥに送信する。
【００１０】
[0010]別の態様では、本コンピュータ可読媒体は、無認可スペクトルにおいてＣＲＳベースのＴＭとＤＭ−ＲＳベースのＴＭとの間で調和させるためのコンピュータ実行可能コードを記憶することができる。説明する態様は、無認可スペクトルにわたるＷＷＡＮ通信のためのサブフレーム構成（たとえば、ダウンリンク／アップリンクサブフレーム構成またはＤＬ／ＵＬサブフレーム構成）を識別するためのコードを含み、サブフレーム構成は、送信バーストにおけるそれぞれのダウンリンクサブフレームがＭＢＳＦＮサブフレームに対応するか非ＭＢＳＦＮサブフレームに対応するかを示す。説明する態様は、サブフレーム構成の表示を少なくとも１つのＵＥに送信するためのコードをさらに含む。
【００１１】
[0011]別の態様では、無認可スペクトルにおいてＣＲＳベースのＴＭとＤＭ−ＲＳベースのＴＭとの間で調和させるための本装置は、無認可スペクトルにわたるＷＷＡＮ通信のためのサブフレーム構成（たとえば、ダウンリンク／アップリンクサブフレーム構成またはＤＬ／ＵＬサブフレーム構成）を識別するための手段を含むことができ、サブフレーム構成は、送信バーストにおけるそれぞれのダウンリンクサブフレームがＭＢＳＦＮサブフレームに対応するか非ＭＢＳＦＮサブフレームに対応するかを示す。説明する態様は、サブフレーム構成の表示を少なくとも１つのＵＥに送信するための手段をさらに含む。
【００１２】
[0012]別の態様によれば、無認可スペクトルにおいてＣＲＳベースのＴＭとＤＭ−ＲＳベースのＴＭとの間で調和させるための本方法が提供される。説明する態様は、ネットワークエンティティから、無認可スペクトルにわたるＷＷＡＮ通信のためのサブフレーム構成の表示を受信することを含み、サブフレーム構成は、送信バーストにおける現在のダウンリンクサブフレームに関連する。説明する態様は、表示に基づいて現在のダウンリンクサブフレームがＭＢＳＦＮサブフレームであるか非ＭＢＳＦＮサブフレームであるかを決定することをさらに含む。
【００１３】
[0013]別の態様では、無認可スペクトルにおいてＣＲＳベースのＴＭとＤＭ−ＲＳベースのＴＭとの間で調和させるための本装置は、命令を記憶するように構成されたメモリと、メモリに通信可能に結合された１つまたは複数のプロセッサとを含み得、ここにおいて、１つまたは複数のプロセッサおよびメモリは、ネットワークエンティティから、無認可スペクトルにわたるＷＷＡＮ通信のためのサブフレーム構成の表示を受信するように構成され、サブフレーム構成は、送信バーストにおける現在のダウンリンクサブフレームに関連する。説明する態様は、さらに、表示に基づいて現在のダウンリンクサブフレームがＭＢＳＦＮサブフレームであるか非ＭＢＳＦＮサブフレームであるかを決定する。
【００１４】
[0014]別の態様では、本コンピュータ可読媒体は、無認可スペクトルにおいてＣＲＳベースのＴＭとＤＭ−ＲＳベースのＴＭとの間で調和させるためのコンピュータ実行可能コードを記憶することができる。説明する態様は、ネットワークエンティティから、無認可スペクトルにわたるＷＷＡＮ通信のためのサブフレーム構成の表示を受信するためのコードを含み、サブフレーム構成は、送信バーストにおける現在のダウンリンクサブフレームに関連する。説明する態様は、表示に基づいて現在のダウンリンクサブフレームがＭＢＳＦＮサブフレームであるか非ＭＢＳＦＮサブフレームであるかを決定するためのコードをさらに含む。
【００１５】
[0015]別の態様では、無認可スペクトルにおいてＣＲＳベースのＴＭとＤＭ−ＲＳベースのＴＭとの間で調和させるための本装置は、ネットワークエンティティから、無認可スペクトルにわたるＷＷＡＮ通信のためのサブフレーム構成の表示を受信するための手段を含み得、サブフレーム構成は、送信バーストにおける現在のダウンリンクサブフレームに関連する。説明する態様は、表示に基づいて現在のダウンリンクサブフレームがＭＢＳＦＮサブフレームであるか非ＭＢＳＦＮサブフレームであるかを決定するための手段をさらに含む。
【００１６】
[0016]別の態様によれば、無認可スペクトルにおいてＣＲＳベースのＴＭとＤＭ−ＲＳベースのＴＭとの間で調和させるための本方法が提供される。説明する態様は、無認可スペクトルにわたるＷＷＡＮ通信に関連するチャネル状態情報（ＣＳＩ：channel state information）のための非周期的に送信されるリソースを識別することを含む。説明する態様は、ＵＥのセットにリソースの表示と非周期的ＣＳＩ報告についての要求とを送信することをさらに含む。
【００１７】
[0017]別の態様では、無認可スペクトルにおいてＣＲＳベースのＴＭとＤＭ−ＲＳベースのＴＭとの間で調和させるための本装置は、命令を記憶するように構成されたメモリと、メモリに通信可能に結合された１つまたは複数のプロセッサとを含み得、ここにおいて、１つまたは複数のプロセッサおよびメモリは、無認可スペクトルにわたるＷＷＡＮ通信に関連するＣＳＩのための非周期的に送信されるリソースを識別するように構成される。説明する態様は、さらに、ＵＥのセットにリソースの表示と非周期的ＣＳＩ報告についての要求とを送信する。
【００１８】
[0018]別の態様では、本コンピュータ可読媒体は、無認可スペクトルにおいてＣＲＳベースのＴＭとＤＭ−ＲＳベースのＴＭとの間で調和させるためのコンピュータ実行可能コードを記憶することができる。説明する態様は、無認可スペクトルにわたるＷＷＡＮ通信に関連するＣＳＩのための非周期的に送信されるリソースを識別するためのコードを含む。説明する態様は、ＵＥのセットにリソースの表示と非周期的ＣＳＩ報告についての要求とを送信するためのコードをさらに含む。
【００１９】
[0019]別の態様では、無認可スペクトルにおいてＣＲＳベースのＴＭとＤＭ−ＲＳベースのＴＭとの間で調和させるための本装置は、無認可スペクトルにわたるＷＷＡＮ通信に関連するＣＳＩのための非周期的に送信されるリソースを識別するための手段を含むことができる。説明する態様は、ＵＥのセットにリソースの表示と非周期的ＣＳＩ報告についての要求とを送信するための手段をさらに含む。
【００２０】
[0020]別の態様によれば、無認可スペクトルにおいてＣＲＳベースのＴＭとＤＭ−ＲＳベースのＴＭとの間で調和させるための本方法が提供される。説明する態様は、ネットワークエンティティから、無認可スペクトルにわたるＷＷＡＮ通信に関連するＣＳＩのための非周期的に送信されるリソースの表示と、非周期的ＣＳＩ報告についての要求とを受信することを含む。説明する態様は、リソースの表示に少なくとも部分的に基づいてＣＳＩ測定および非周期的ＣＳＩ報告を実施することをさらに含む。
【００２１】
[0021]別の態様では、無認可スペクトルにおいてＣＲＳベースのＴＭとＤＭ−ＲＳベースのＴＭとの間で調和させるための本装置は、命令を記憶するように構成されたメモリと、メモリに通信可能に結合された１つまたは複数のプロセッサとを含み得、ここにおいて、１つまたは複数のプロセッサおよびメモリは、ネットワークエンティティから、無認可スペクトルにわたるＷＷＡＮ通信に関連するＣＳＩのための非周期的に送信されるリソースの表示と、非周期的ＣＳＩ報告についての要求とを受信するように構成される。説明する態様は、さらに、リソースの表示に少なくとも部分的に基づいてＣＳＩ測定および非周期的ＣＳＩ報告を実施する。
【００２２】
[0022]別の態様では、本コンピュータ可読媒体は、無認可スペクトルにおいてＣＲＳベースのＴＭとＤＭ−ＲＳベースのＴＭとの間で調和させるためのコンピュータ実行可能コードを記憶することができる。説明する態様は、ネットワークエンティティから、無認可スペクトルにわたるＷＷＡＮ通信に関連するＣＳＩのための非周期的に送信されるリソースの表示と、非周期的ＣＳＩ報告についての要求とを受信するためのコードを含む。説明する態様は、リソースの表示に少なくとも部分的に基づいてＣＳＩ測定および非周期的ＣＳＩ報告を実施するためのコードをさらに含む。
【００２３】
[0023]別の態様では、無認可スペクトルにおいてＣＲＳベースのＴＭとＤＭ−ＲＳベースのＴＭとの間で調和させるための本装置は、ネットワークエンティティから、無認可スペクトルにわたるＷＷＡＮ通信に関連するＣＳＩのための非周期的に送信されるリソースの表示と、非周期的ＣＳＩ報告についての要求とを受信するための手段を含むことができる。説明する態様は、リソースの表示に少なくとも部分的に基づいてＣＳＩ測定および非周期的ＣＳＩ報告を実施するためのコードをさらに含む。
【００２４】
[0024]別の態様によれば、無認可スペクトルにおいてＣＲＳベースのＴＭとＤＭ−ＲＳベースのＴＭとの間で調和させるための本方法が提供される。説明する態様は、ＵＥが無認可スペクトルにわたって１つまたは複数のキャリアを扱うために無認可スペクトルにおいて間欠受信（ＤＲＸ）ＯＦＦ期間からウェイクアップすべきであると決定することを含む。説明する態様は、無認可スペクトルにおいてＤＲＸ  ＯＦＦ期間からウェイクアップする表示を認可スペクトル中のキャリアを介してＵＥに送信することをさらに含む。
【００２５】
[0025]別の態様では、無認可スペクトルにおいてＣＲＳベースのＴＭとＤＭ−ＲＳベースのＴＭとの間で調和させるための本装置は、命令を記憶するように構成されたメモリと、メモリに通信可能に結合された１つまたは複数のプロセッサとを含み得、ここにおいて、１つまたは複数のプロセッサおよびメモリは、ＵＥが無認可スペクトルにわたって１つまたは複数のキャリアを扱うために無認可スペクトルにおいてＤＲＸ  ＯＦＦ期間からウェイクアップすべきであると決定するように構成される。説明する態様は、さらに、無認可スペクトルにおいてＤＲＸ  ＯＦＦ期間からウェイクアップするように、認可スペクトル中のキャリアを介してＵＥに表示を送信する。
【００２６】
[0026]別の態様では、本コンピュータ可読媒体は、無認可スペクトルにおいてＣＲＳベースのＴＭとＤＭ−ＲＳベースのＴＭとの間で調和させるためのコンピュータ実行可能コードを記憶することができる。説明する態様は、ＵＥが無認可スペクトルにわたって１つまたは複数のキャリアを扱うために無認可スペクトルにおいてＤＲＸ  ＯＦＦ期間からウェイクアップすべきであると決定するためのコードを含む。説明する態様は、無認可スペクトルにおいてＤＲＸ  ＯＦＦ期間からウェイクアップするように、認可スペクトル中のキャリアを介してＵＥに表示を送信するためのコードをさらに含む。
【００２７】
[0027]別の態様では、無認可スペクトルにおいてＣＲＳベースのＴＭとＤＭ−ＲＳベースのＴＭとの間で調和させるための本装置は、ＵＥが無認可スペクトルにわたって１つまたは複数のキャリアを扱うために無認可スペクトルにおいてＤＲＸ  ＯＦＦ期間からウェイクアップすべきであると決定するための手段を含むことができる。説明する態様は、無認可スペクトルにおいてＤＲＸ  ＯＦＦ期間からウェイクアップするように、認可スペクトル中のキャリアを介してＵＥに表示を送信するためのコードをさらに含む。
【００２８】
[0028]別の態様によれば、無認可スペクトルにおいてＣＲＳベースのＴＭとＤＭ−ＲＳベースのＴＭとの間で調和させるための本方法が提供される。説明する態様は、ＵＥにおいておよび認可スペクトル中のキャリアを介して、ＵＥが無認可スペクトルにわたって１つまたは複数のキャリアを扱うために無認可スペクトルにおいてＤＲＸ  ＯＦＦ期間からウェイクアップすべきであるという表示を受信することを含む。説明する態様は、表示を受信したことに応答して、無認可スペクトルにおいてＤＲＸ  ＯＦＦ期間からウェイクアップすることをさらに含む。
【００２９】
[0029]別の態様では、無認可スペクトルにおいてＣＲＳベースのＴＭとＤＭ−ＲＳベースのＴＭとの間で調和させるための本装置は、命令を記憶するように構成されたメモリと、メモリに通信可能に結合された１つまたは複数のプロセッサとを含み得、ここにおいて、１つまたは複数のプロセッサおよびメモリは、ＵＥにおいておよび認可スペクトル中のキャリアを介して、ＵＥが無認可スペクトルにわたって１つまたは複数のキャリアを扱うために無認可スペクトルにおいてＤＲＸ  ＯＦＦ期間からウェイクアップすべきであるという表示を受信するように構成される。説明する態様は、さらに、表示を受信したことに応答して、無認可スペクトルにおいてＤＲＸ  ＯＦＦ期間からウェイクアップする。
【００３０】
[0030]別の態様では、本コンピュータ可読媒体は、無認可スペクトルにおいてＣＲＳベースのＴＭとＤＭ−ＲＳベースのＴＭとの間で調和させるためのコンピュータ実行可能コードを記憶することができる。説明する態様は、ＵＥにおいておよび認可スペクトル中のキャリアを介して、ＵＥが無認可スペクトルにわたって１つまたは複数のキャリアを扱うために無認可スペクトルにおいてＤＲＸ  ＯＦＦ期間からウェイクアップすべきであるという表示を受信するためのコードを含む。説明する態様は、表示を受信したことに応答して、無認可スペクトルにおいてＤＲＸ  ＯＦＦ期間からウェイクアップするためのコードをさらに含む。
【００３１】
[0031]別の態様では、無認可スペクトルにおいてＣＲＳベースのＴＭとＤＭ−ＲＳベースのＴＭとの間で調和させるための本装置は、ＵＥにおいておよび認可スペクトル中のキャリアを介して、ＵＥが無認可スペクトルにわたって１つまたは複数のキャリアを扱うために無認可スペクトルにおいてＤＲＸ  ＯＦＦ期間からウェイクアップすべきであるという表示を受信するための手段を含むことができる。説明する態様は、表示を受信したことに応答して、無認可スペクトルにおいてＤＲＸ  ＯＦＦ期間からウェイクアップするための手段をさらに含む。
【００３２】
[0032]本開示の様々な態様および特徴について、添付の図面において示されるように、それの様々な例を参照しながら以下でさらに詳細に説明する。本開示について様々な例を参照しながら以下で説明するが、本開示はそれに限定されないことを理解されたい。本明細書の教示へのアクセスを有する当業者は、追加のインプリメンテーション、変更形態、および例、ならびに本明細書で説明する本開示の範囲内に入り、それに関して本開示が著しく有用であり得る他の使用分野を認識されよう。
【図面の簡単な説明】
【００３３】
[0033]本開示の特徴、性質、および利点は、図面と併用されたとき、以下に記載される詳細な説明からより明らかになり、図面において、全体を通じて同様の参照符号は対応するものを識別し、ここで、破線は随意のコンポーネントまたはアクションを示すことがある。
【図１】[0034]本明細書で説明する態様による、電気通信システムの一例を概念的に示すブロック図。
【図２】[0035]アクセスネットワークの一例を示す図。
【図３】[0036]アクセスネットワーク中の発展型ノードＢおよびユーザ機器の一例を示す図。
【図４Ａ】[0037]本開示の様々な態様による、ＵＥとネットワークエンティティとの一態様を含む通信ネットワークの概略図。
【図４Ｂ】本開示の様々な態様による、ＵＥとネットワークエンティティとの一態様を含む通信ネットワークの概略図。
【図５】[0038]本開示の様々な態様による、多重化されたＭＢＳＦＮサブフレームと非ＭＢＳＦＮサブフレームとをもつダウンリンク送信バーストの一例を示す図。
【図６Ａ】[0039]本開示の様々な態様による、各サブフレームにおけるＤＬ／ＵＬサブフレーム構成のシグナリングに関係する方法の例を示す流れ図。
【図６Ｂ】本開示の様々な態様による、各サブフレームにおけるＤＬ／ＵＬサブフレーム構成のシグナリングに関係する方法の例を示す流れ図。
【図７Ａ】[0040]本開示の様々な態様による、非周期的ＣＳＩフィードバックのためのシグナリングに関係する方法の例を示す流れ図。
【図７Ｂ】本開示の様々な態様による、非周期的ＣＳＩフィードバックのためのシグナリングに関係する方法の例を示す流れ図。
【図８】[0041]本開示の様々な態様による、認可および無認可キャリアのためのＤＲＸウェイクアップ動作の一例を示す図。
【図９Ａ】[0042]本開示の様々な態様による、認可および無認可キャリアのためのＤＲＸウェイクアップ動作のためのシグナリングに関係する方法の例を示す流れ図。
【図９Ｂ】本開示の様々な態様による、認可および無認可キャリアのためのＤＲＸウェイクアップ動作のためのシグナリングに関係する方法の例を示す流れ図。
【図１０】[0043]本開示の様々な態様による、認可および無認可キャリアのためのディスカバリ基準信号（ＤＲＳ：discovery reference signal）の無線リソース管理（ＲＲＭ：Radio Resource Management）の一例を示す図。
【図１１】[0044]本開示の様々な態様による、無認可動作コンポーネントを含む例示的な装置中の異なる手段／コンポーネント間のデータフローを示す概念データフロー図。
【図１２】[0045]本開示の様々な態様による、無認可動作コンポーネントを含む処理システムを採用する装置のためのハードウェアインプリメンテーションの一例を示す図。
【図１３】[0046]本開示の様々な態様による、無認可動作コンポーネントを含む例示的な装置中の異なる手段／コンポーネント間のデータフローを示す概念データフロー図。
【図１４】[0047]本開示の様々な態様による、無認可動作コンポーネントを含む処理システムを採用する装置のためのハードウェアインプリメンテーション形態の一例を示す図。
【発明を実施するための形態】
【００３４】
[0048]添付の図面に関して以下に記載される発明を実施するための形態は、様々な構成を説明するものであり、本明細書で説明する概念が実施され得る唯一の構成を表すものではない。詳細な説明は、様々な概念の完全な理解を与えるための具体的な詳細を含む。しかしながら、これらの概念はこれらの具体的な詳細なしに実施され得ることが当業者には明らかであろう。いくつかの事例では、そのような概念を不明瞭にしないように、よく知られているコンポーネントがブロック図の形式で示される。一態様では、本明細書で使用する「コンポーネント」という用語は、システムを構成する部分のうちの１つであり得、ハードウェアまたはソフトウェアであり得、他のコンポーネントに分割されることができる。
【００３５】
[0049]本態様は、概して、無認可または共有スペクトルにわたるセルラー通信によってサポートされる様々な特徴の調和または収束に関係する。これらのセルラー通信は、時々、たとえば、無認可スペクトル上のＬＴＥ（ＬＴＥ over unlicensed spectrum）、ＬＴＥ−Ｕ、およびライセンス支援アクセス（ＬＡＡ：license-assisted access）と呼ばれることがある。これらの特徴の調和または収束は、無認可または共有媒体にアクセスするためにリッスンビフォアトーク（ＬＢＴ：listen before talk）技法（たとえば、クリアチャネルアセスメントまたはＣＣＡ）をサポートするだけでなく、同じ送信（たとえば、送信モード（ＴＭ）多重化）内でＣＲＳベースのＴＭとＤＭ−ＲＳベースのＴＭの両方の使用をもサポートし得るセルラー通信を可能にすることができる。
【００３６】
[0050]無認可帯域またはスペクトル動作の使用は、より多数のキャリア（たとえば、コンポーネントキャリアまたはＣＣ）を使用する機会を切り開く。無認可帯域またはスペクトルは、時々、共有帯域またはスペクトルと呼ばれることがある。ＣＣサポートの数がはるかにより少なく、したがって、ＵＥ電力消費量から見るとうまくスケーリングしないことがある現在のキャリアアグリゲーション（ＣＡ）動作とは、多数のキャリアの使用は対照的である。無認可帯域動作によって提供される電力節約機会を利用するために、本明細書では、セルラー通信が無認可または共有スペクトル上で動作する方法に対する様々な変更形態について説明する。これらの変更形態のうちのいくつかは、少なくとも部分的に、ダウンリンク送信がない間、ＵＥが多くのコンポーネントキャリア上でダウンリンクを監視する必要がある時間量を最小化または低減することを目的とする。
【００３７】
[0051]上記で説明したように、現在の動作は、少なくないキャリアのために最適化されていないことがあり、したがって、無認可帯域またはスペクトル動作のために利用可能な多数のキャリアを扱うことが不可能であり得、ましてや異なるタイプのキャリア（たとえば、認可スペクトル上のキャリアまたは認可キャリア、無認可スペクトル上のキャリアまたは無認可キャリア）を扱うことは不可能であり得る。これが問題であり得る１つの領域は間欠受信（ＤＲＸ：discontinuous reception）動作に付随する。認可動作は決定性であるので、情報がいつ受信されることになるかを知り、適切な時間にＤＲＸ  ＯＦＦ期間からＤＲＸ  ＯＮ期間にウェイクアップにすることが可能である。一方、無認可動作では、ＤＲＸ  ＯＦＦ期間からウェイクアップするときに情報が受信されることになる保証はない。いくつかの事例では、送信デバイスが送信可能になる前に媒体へのアクセスを獲得する必要があり得るとき（たとえば、ＬＢＴ）、送信を得るために若干の時間を要し得る。以下で、これらおよび他の関係する問題に対処するための改善されたＤＲＸ機構が提供される。
【００３８】
[0052]説明する別の態様は、ＵＬおよびＤＬサブフレームタイプシグナリングをサポートしないＵＥのためさえもの、ＤＬ／ＵＬサブフレーム構成シグナリングの使用である。ＤＬ／ＵＬサブフレーム構成の使用は、特に、各送信バーストにおいて動的な数のＤＬおよびＵＬサブフレームのサポートを可能にし得、Ｄｌサブフレームタイプシグナリングは、同じ送信内でＣＲＳベースの送信モードとＤＭ−ＲＳベースの送信モードの両方のサポートを可能にすることができる（たとえば、図５参照）。
【００３９】
[0053]説明するまた別の態様は、インプリメントされる特徴のいくつかがマイクロスリープ機会を利用することを可能にし得ることについてである。マイクロスリープの状況は、デバイスが、（より長いＤＲＸ動作とは異なり）短い持続時間の間スリープモードまたは同様のモードにセット可能である場合に言及することができる。一例は、許可が送信され、サブフレームの中間によって物理ダウンリンク制御チャネル（ＰＤＣＣＨ）が復号されるときに起こり得る。そのような場合、ＵＥは、サブフレームの残りの間にスリープに進み得、現在の構成は、サブフレームの残りの間に動作が行われることを不可能にし得る。
【００４０】
[0054]本明細書で説明するこれらおよび他の態様は、サブフレーム構成、ＤＲＸ動作、およびチャネル状態情報（ＣＳＩ）フィードバックへの変更を含めて、無認可または共有スペクトルにわたるセルラー通信によってサポートされる様々な特徴の調和または収束のための動機付け要因として提供される。
【００４１】
[0055]特定の開示される態様を対象とする以下の説明および関連する図面において、本開示の態様が提供される。本開示の範囲から逸脱することなく、代替態様が考案されることができる。さらに、本開示のよく知られている態様については、より重要な詳細をあいまいにしないために、詳細に説明しないかまたは省略されることがある。さらに、多くの態様について、たとえば、コンピューティングデバイスの要素によって実施されるべき一連のアクションに関して説明する。本明細書で説明する様々なアクションは、特定の回路（たとえば、特定用途向け集積回路（ＡＳＩＣ））によって、１つまたは複数のプロセッサによって実行されるプログラム命令によって、または両方の組合せによって実施され得ることが認識されよう。さらに、本明細書で説明するこれらの一連のアクションは、実行されたとき、本明細書で説明する機能を関連するプロセッサに実施させ得るコンピュータ命令の対応するセットを記憶した、任意の形態のコンピュータ可読記憶媒体内で完全に具現化されるものと見なされることができる。したがって、本開示の様々な態様は、請求される主題の範囲内にすべて入ることが企図されている、いくつかの異なる形態で具現化されることができる。さらに、本明細書で説明する態様の各々について、任意のそのような態様の対応する形態について、本明細書では、たとえば、説明するアクションを実施する「ように構成された論理」として説明することがある。
【００４２】
[0056]最初に図１を参照すると、図は、本明細書で説明する態様による、ワイヤレス通信システム１００の一例を示す。ワイヤレス通信システム１００は、複数の基地局（たとえば、ｅＮＢ、ＷＬＡＮアクセスポイント、または他のアクセスポイント）１０５と、いくつかのユーザ機器（ＵＥ）１１５と、コアネットワーク１２８とを含む。１つまたは複数のＵＥ１１５は、無認可スペクトルにおいてＣＲＳベースのＴＭとＤＭ−ＲＳベースのＴＭとの間で調和させるように構成された無認可動作コンポーネント１３０（たとえば、図４Ａ参照）を含むことができる。同様に、１つまたは複数の基地局１０５は、無認可スペクトルにおいてＣＲＳベースのＴＭとＤＭ−ＲＳベースのＴＭとの間で調和させるように構成された無認可動作コンポーネント１４０（たとえば、図４Ｂ参照）を含むことができる。
【００４３】
[0057]したがって、たとえば、ＵＥ１１５は、直接メッセージベースの通信を使用して（たとえば、リソースをスケジュールするための基地局１０５の支援有りでまたは無しで）互いに通信することができる。基地局１０５のうちのいくつかは、様々な例ではコアネットワーク１２８またはいくつかの基地局１０５（たとえば、ｅＮＢ）の一部であり得る、基地局コントローラ（図示せず）の制御下でＵＥ１１５と通信することができる。基地局１０５は、バックホールリンク１２９を介してコアネットワーク１２８を用いて制御情報および／またはユーザデータを通信することができる。例では、基地局１０５は、ワイヤードまたはワイヤレス通信リンクであり得るバックホールリンク１３４を介して、直接的または間接的のいずれかで、互いに通信することができる。ワイヤレス通信システム１００は、複数のキャリア（異なる周波数の波形信号）上での動作をサポートすることができる。マルチキャリア送信機は、複数のキャリア上で変調された信号を同時に送信することができる。たとえば、通信リンク１２５の各々は、上記で説明した様々な無線技術に従って変調されたマルチキャリア信号であり得る。各変調された信号は、異なるキャリア上で送られ得、制御情報（たとえば、基準信号、制御チャネルなど）、オーバーヘッド情報、データなどを搬送することができる。
【００４４】
[0058]基地局１０５は、１つまたは複数の基地局アンテナを介してＵＥ１１５とワイヤレス通信することができる。基地局１０５サイトの各々は、それぞれのカバレージエリア１１０に通信カバレージを与えることができる。いくつかの例では、基地局１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割されることができる（図示せず）。ワイヤレス通信システム１００は、異なるタイプの基地局１０５（たとえば、マクロ基地局、マイクロ基地局、および／またはピコ基地局）を含むことができる。基地局１０５はまた、セルラーおよび／またはＷＬＡＮ無線アクセス技術（ＲＡＴ）など、異なる無線技術を利用し得る。基地局１０５は、同じまたは異なるアクセスネットワークまたは事業者展開に関連付けられることができる。同じまたは異なるタイプの基地局１０５のカバレージエリアを含み、同じまたは異なる無線技術を利用し、ならびに／あるいは同じまたは異なるアクセスネットワークに属する、異なる基地局１０５のカバレージエリアは重複することができる。
【００４５】
[0059]たとえば、ＬＴＥ／ＬＴＥアドバンスト（ＬＴＥ−Ａ）では、発展型ノードＢ（ｅノードＢまたはｅＮＢ）という用語は、概して、基地局１０５を記述するために使用されることができる。ワイヤレス通信システム１００は、異なるタイプのアクセスポイントが様々な地理的領域にカバレージを与える、異種ＬＴＥ／ＬＴＥ−Ａネットワークであり得る。たとえば、各基地局１０５は、マクロセル、ピコセル、フェムトセル、および／または他のタイプのセルに通信カバレージを与えることができる。ピコセル、フェムトセル、および／または他のタイプのセルなどのスモールセルは、低電力ノードまたはＬＰＮを含むことができる。マクロセルは、概して、比較的大きい地理的エリア（たとえば、半径数キロメートル）をカバーし、ネットワークプロバイダのサービスに加入しているＵＥ１１５による無制限アクセスを可能にすることができる。スモールセルは、概して、比較的より小さい地理的エリアをカバーすることになり、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ）中のＵＥ、自宅内のユーザのためのＵＥなど）による制限付きアクセスをも与えることができる。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートすることができる。
【００４６】
[0060]コアネットワーク１２８は、バックホールリンク１２９（たとえば、Ｓ１インターフェースなど）を介してｅＮＢまたは他の基地局１０５と通信することができる。基地局１０５はまた、たとえば、バックホールリンク１３４（たとえば、Ｘ２インターフェースなど）を介しておよび／またはバックホールリンク１２９を介して（たとえば、コアネットワーク１２８を介して）、直接または間接的に、互いに通信することができる。ワイヤレス通信システム１００は同期動作または非同期動作をサポートすることができる。同期動作の場合、基地局１０５は同様のフレームタイミングを有し得、異なる基地局１０５からの送信は時間的にほぼ整合されることができる。非同期動作の場合、基地局１０５は異なるフレームタイミングを有し得、異なる基地局１０５からの送信は時間的に整合されないことがある。本明細書で説明する技法は、同期動作または非同期動作のいずれにも使用されることができる。
【００４７】
[0061]ＵＥ１１５はワイヤレス通信システム１００全体にわたって分散され、各ＵＥ１１５は固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局、車両ベースのＵＥなどであり得る。ＵＥ１１５は、マクロｅノードＢ、スモールセルｅノードＢ、リレーなどと通信することが可能であり得る。
ＵＥ１１５はまた、セルラーまたは他のＷＷＡＮアクセスネットワーク、あるいはＷＬＡＮアクセスネットワークなど、異なるアクセスネットワーク上で通信することが可能であり得る。
【００４８】
[0062]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含むことができる。ダウンリンク送信は順方向リンク送信と呼ばれることもあり、一方、アップリンク送信は逆方向リンク送信と呼ばれることもある。ＵＥ１１５は、たとえば、多入力多出力（ＭＩＭＯ）、キャリアアグリゲーション（ＣＡ）、多地点協調（ＣｏＭＰ）、多重接続性、または他の方式を通して、複数の基地局１０５と共同的に通信するように構成されることができる。ＭＩＭＯ技法は、複数のデータストリームを送信するために、基地局１０５上の複数のアンテナおよび／またはＵＥ１１５上の複数のアンテナを使用する。
【００４９】
[0063]図２は、ＬＴＥネットワークアーキテクチャまたは同様のセルラーネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスの基地局２０８は、セル２０２のうちの１つまたは複数と重複するセルラー領域２１０を有することができる。より低い電力クラスの基地局２０８は、フェムトセル（たとえば、ホームｅＮＢ（ＨｅＮＢ））、ピコセル、マイクロセル、またはリモートラジオヘッド（ＲＲＨ）であり得る。マクロ基地局２０４は各々、それぞれのセル２０２に割り当てられ、セル２０２中のすべてのＵＥ２０６にコアネットワーク１２８へのアクセスポイントを与えるように構成される。
【００５０】
[0064]一態様では、１つまたは複数のＵＥ２０６は、無認可スペクトルにおいてＣＲＳベースのＴＭとＤＭ−ＲＳベースのＴＭとの間で調和させるように構成された無認可動作コンポーネント１３０（たとえば、図４Ａ参照）を含むことができる。同様に、１つまたは複数の基地局２０４／２０８は、無認可スペクトルにおいてＣＲＳベースのＴＭとＤＭ−ＲＳベースのＴＭとの間で調和させるように構成された無認可動作コンポーネント１４０（たとえば、図４Ｂ参照）を含むことができる。アクセスネットワーク２００のこの例では集中型コントローラはないが、代替構成では集中型コントローラが使用されることができる。基地局２０４は、無線ベアラ制御、承認制御、モビリティ制御、スケジューリング、セキュリティ、およびコアネットワーク１２８の１つまたは複数のコンポーネントへの接続性を含む、すべての無線関係機能を担当する。
【００５１】
[0065]アクセスネットワーク２００によって採用される変調および多元接続方式は、展開されている特定の電気通信規格に応じて異なることができる。ＬＴＥ適用例では、周波数分割複信（ＦＤＤ）と時分割複信（ＴＤＤ）の両方をサポートするために、ＯＦＤＭがＤＬ上で使用され得、ＳＣ−ＦＤＭＡがＵＬ上で使用されることができる。当業者であれば以下の詳細な説明から容易に理解するように、本明細書において提示される種々の概念はＬＴＥ適用例に非常に適している。しかしながら、これらの概念は、他の変調および多元接続技法を採用する他の電気通信規格に容易に拡張されることができる。例として、これらの概念は、エボリューションデータオプティマイズド（ＥＶ−ＤＯ）またはウルトラモバイルブロードバンド（ＵＭＢ）に拡張されることができる。ＥＶ−ＤＯおよびＵＭＢは、ＣＤＭＡ２０００規格ファミリーの一部として第３世代パートナーシッププロジェクト２（３ＧＰＰ(登録商標)２）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびに、ＯＦＤＭＡを採用する、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、およびＦｌａｓｈ−ＯＦＤＭに拡張されることができる。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢについては３ＧＰＰ２団体からの文書に記載されている。採用される実際のワイヤレス通信規格および多元接続技術は、特定の適用例およびシステムに課された全体的な設計制約に依存する。
【００５２】
[0066]基地局２０４は、ＭＩＭＯ技術をサポートする複数のアンテナを有することができる。ＭＩＭＯ技術の使用により、基地局２０４は、空間多重化、ビームフォーミング、および送信ダイバーシティをサポートするために空間領域を活用することが可能になる。空間多重化は、異なるデータストリームを同じ周波数上で同時に送信するために使用されることができる。データストリームは、データレートを増加させるために単一のＵＥ２０６に送信され得るか、または全体的なシステム容量を増加させるために複数のＵＥ２０６に送信されることができる。これは、各データストリームを空間的にプリコーディングし（すなわち、振幅および位相のスケーリングを適用し）、次いで、ＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、基地局２０４は、空間的にプリコーディングされた各データストリームのソースを識別することが可能になる。
【００５３】
[0067]空間多重化は、概して、チャネル状態が良好であるときに使用される。チャネル状態があまり好ましくないとき、送信エネルギーを１つまたは複数の方向に集中させるためにビームフォーミングが使用されることができる。これは、複数のアンテナを介して送信するためにデータを空間的にプリコーディングすることによって達成されることができる。セルのエッジにおいて良好なカバレージを達成するために、送信ダイバーシティと組み合わせてシングルストリームビームフォーミング送信が使用されることができる。
【００５４】
[0068]以下の詳細な説明では、アクセスネットワークの様々な態様について、ＤＬ上でＯＦＤＭをサポートするＭＩＭＯシステムを参照しながら説明する。ＯＦＤＭは、ＯＦＤＭシンボル内のいくつかのサブキャリアを介してデータを変調するスペクトラム拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガード間隔（たとえば、サイクリックプレフィックス）が各ＯＦＤＭシンボルに追加されることができる。ＵＬは、高いピーク対平均電力比（ＰＡＰＲ）を補償するために、ＳＣ−ＦＤＭＡをＤＦＴ拡散ＯＦＤＭ信号の形態で使用することができる。
【００５５】
[0069]図３は、アクセスネットワーク中でＵＥ３５０と通信している基地局３１０のブロック図である。ＤＬにおいて、コアネットワークからの上位レイヤパケットがコントローラ／プロセッサ３７５に与えられる。コントローラ／プロセッサ３７５はＬ２レイヤの機能をインプリメントする。ＤＬでは、コントローラ／プロセッサ３７５は、ヘッダ圧縮と、暗号化と、パケットのセグメント化および並べ替えと、論理チャネルとトランスポートチャネルとの間の多重化と、様々な優先度メトリックに基づくＵＥ３５０への無線リソース割り当てとを行う。コントローラ／プロセッサ３７５はまた、ＨＡＲＱ演算と、紛失パケットの再送信と、ＵＥ３５０へのシグナリングとを担当する。
【００５６】
[0070]送信（ＴＸ）プロセッサ３１６は、Ｌ１レイヤ（すなわち、物理レイヤ）のための様々な信号処理機能をインプリメントする。信号処理機能は、ＵＥ３５０において前方誤り訂正（ＦＥＣ）を容易にするコーディングおよびインターリービングと、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づく信号コンスタレーションへのマッピングとを含む。コーディングされ、変調されたシンボルは、次いで、並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用されることができる。チャネル推定値は、ＵＥ３５０によって送信される基準信号および／またはチャネル状態フィードバックから導出されることができる。各空間ストリームは、次いで、別個の送信機３１８ＴＸを介して異なるアンテナ３２０に与えられる。各送信機３１８ＴＸは、送信のためにそれぞれの空間ストリームでＲＦキャリアを変調する。さらに、基地局３１０は、無認可スペクトルにおいてＣＲＳベースのＴＭとＤＭ−ＲＳベースのＴＭとの間で調和させるように構成された無認可動作コンポーネント１４０（たとえば、図４Ｂ参照）を含むことができる。無認可動作コンポーネント１４０はコントローラ／プロセッサ３７５に結合されるものとして示されているが、無認可動作コンポーネント１４０はまた、他のプロセッサ（たとえば、ＲＸプロセッサ３７０、ＴＸプロセッサ３１６など）に結合され、および／または本明細書で説明するアクションを実施するように１つまたは複数のプロセッサ３１６、３７０、３７５によってインプリメントされ得ることを諒解されたい。さらに、たとえば、無認可動作コンポーネント１４０は、限定はしないが、プロセッサ３１６、３７０、および／または３７５を含む、プロセッサのうちのいずれか１つまたは複数によってインプリメントされることができる。同様に、無認可動作コンポーネント１３０は、限定はしないが、プロセッサ３５６、３５９、および／または３６８を含む、プロセッサのうちのいずれか１つまたは複数によってインプリメントされることができる。
【００５７】
[0071]ＵＥ３５０において、各受信機３５４ＲＸは、受信機のそれぞれのアンテナ３５２を通して信号を受信する。各受信機３５４ＲＸは、ＲＦキャリア上に変調された情報を復元し、その情報を受信（ＲＸ）プロセッサ３５６に与える。ＲＸプロセッサ３５６は、Ｌ１レイヤの様々な信号処理機能をインプリメントする。ＲＸプロセッサ３５６は、ＵＥ３５０に宛てられた何らかの空間ストリームを復元するために、情報に対して空間処理を実施する。複数の空間ストリームがＵＥ３５０に宛てられる場合には、それらの空間ストリームはＲＸプロセッサ３５６によって単一のＯＦＤＭシンボルストリームに合成されることができる。ＲＸプロセッサ３５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、基地局３１０によって送信される、可能性が最も高い信号コンスタレーションポイントを決定することによって復元され、復調される。これらの軟判定は、チャネル推定器３５８によって算出されるチャネル推定値に基づくことができる。軟決定は、次いで、物理チャネル上で基地局３１０によって最初に送信されたデータおよび制御信号を復元するために復号され、デインターリーブされる。データおよび制御信号は、次いで、コントローラ／プロセッサ３５９に与えられる。
【００５８】
[0072]コントローラ／プロセッサ３５９はＬ２レイヤをインプリメントする。コントローラ／プロセッサは、プログラムコードとデータとを記憶するメモリ３６０に関連することができる。メモリ３６０はコンピュータ可読媒体と呼ばれることがある。ＵＬにおいて、コントローラ／プロセッサ３５９は、コアネットワークからの上位レイヤパケットを復元するために、トランスポートチャネルと論理チャネルとの間の逆多重化と、パケットリアセンブリと、暗号解読と、ヘッダ解凍と、制御信号処理とを行う。上位レイヤパケットは、次いで、Ｌ２レイヤの上のすべてのプロトコルレイヤを表す、データシンク３６２に与えられる。また、様々な制御信号がＬ３処理のためにデータシンク３６２に与えられることができる。コントローラ／プロセッサ３５９はまた、ＨＡＲＱ演算をサポートするために肯定応答（ＡＣＫ）および／または否定応答（ＮＡＣＫ）プロトコルを使用する誤り検出を担当する。さらに、ＵＥ３５０は、無認可スペクトルにおいてＣＲＳベースのＴＭとＤＭ−ＲＳベースのＴＭとの間で調和させるように構成された無認可動作コンポーネント１３０（たとえば、図４Ａ参照）を含むことができる。無認可動作コンポーネント１３０はコントローラ／プロセッサ３５９に結合されるものとして示されているが、通信コンポーネント４６１はまた、他のプロセッサ（たとえば、ＲＸプロセッサ３５６、ＴＸプロセッサ３６８など）に結合され、および／または本明細書で説明するアクションを実施するように１つまたは複数のプロセッサ３５６、３５９、３６８によってインプリメントされ得ることを諒解されたい。
【００５９】
[0073]ＵＬにおいて、データソース３６７は、コントローラ／プロセッサ３５９に上位レイヤパケットを与えるために使用される。データソース３６７は、Ｌ２レイヤの上のすべてのプロトコルレイヤを表す。基地局３１０によるＤＬ送信に関して説明した機能と同様に、コントローラ／プロセッサ３５９は、ヘッダ圧縮と、暗号化と、パケットのセグメント化および並べ替えと、基地局３１０による無線リソース割り当てに基づく論理チャネルとトランスポートチャネルとの間の多重化とを行うことによって、ユーザプレーンおよび制御プレーンのためのＬ２レイヤをインプリメントする。コントローラ／プロセッサ３５９はまた、ＨＡＲＱ演算と、紛失パケットの再送信と、基地局３１０へのシグナリングとを担当する。
【００６０】
[0074]基地局３１０によって送信される基準信号またはフィードバックからの、チャネル推定器３５８によって導出されるチャネル推定値は、適切なコーディングおよび変調方式を選択することと、空間処理を容易にすることとを行うために、ＴＸプロセッサ３６８によって使用されることができる。ＴＸプロセッサ３６８によって生成される空間ストリームは、別個の送信機３５４ＴＸを介して異なるアンテナ３５２に与えられる。各送信機３５４ＴＸは、送信のためにそれぞれの空間ストリームでＲＦキャリアを変調する。
【００６１】
[0075]ＵＬ送信は、ＵＥ３５０における受信機機能に関して説明した方法と同様の方法で基地局３１０において処理される。各受信機３１８ＲＸは、受信機のそれぞれのアンテナ３２０を介して信号を受信する。各受信機３１８ＲＸは、ＲＦキャリア上に変調された情報を復元し、その情報をＲＸプロセッサ３７０に与える。ＲＸプロセッサ３７０はＬ１レイヤをインプリメントすることができる。
【００６２】
[0076]コントローラ／プロセッサ３７５はＬ２レイヤをインプリメントする。コントローラ／プロセッサ３７５は、プログラムコードとデータとを記憶するメモリ３７６に関連することができる。メモリ３７６はコンピュータ可読媒体と呼ばれることがある。ＵＬでは、コントローラ／プロセッサ３７５は、ＵＥ３５０からの上位レイヤパケットを復元するために、トランスポートチャネルと論理チャネルとの間の逆多重化と、パケットリアセンブリと、暗号解読と、ヘッダ解凍と、制御信号処理とを行う。
コントローラ／プロセッサ３７５からの上位レイヤパケットはコアネットワークに与えられることができる。コントローラ／プロセッサ３７５はまた、ＨＡＲＱ演算をサポートするためにＡＣＫおよび／またはＮＡＣＫプロトコルを使用する誤り検出を担当する。
【００６３】
[0077]図４Ａおよび図４Ｂを参照すると、一態様では、ワイヤレス通信システム４００は、基地局１０５（図１）、基地局２０４（図２）、および／または基地局３１０（図３）と同様の、少なくとも１つのネットワークエンティティ１０５の通信カバレージ中に、ＵＥ１１５（図１）、ＵＥ２０６（図２）、および／またはＵＥ３５０（図３）と同様の、少なくとも１つのユーザ機器（ＵＥ）１１５を含む。ＵＥ１１５は、ネットワークエンティティ１０５を介してネットワークと通信することができる。一例では、ＵＥ１１５は、限定はしないがアップリンクデータチャネルおよび／またはダウンリンクデータチャネルなど、アップリンク通信チャネル（または単にアップリンクチャネル）とダウンリンク通信チャネル（または単にダウンリンクチャネル）とを含むことができる、１つまたは複数の通信チャネル１２５を介してネットワークエンティティ１０５におよび／またはそれからワイヤレス通信を送信および／または受信することができる。そのようなワイヤレス通信は、限定はしないが、データ、オーディオおよび／またはビデオ情報を含むことができる。
【００６４】
[0078]図４Ａを参照すると、本開示によれば、ＵＥ１１５は、メモリ４４と、１つまたは複数のプロセッサ２０と、トランシーバ６０とを含むことができる。メモリと、１つまたは複数のプロセッサ２０と、トランシーバ６０とは、バス１１を介して内部で通信することができる。いくつかの例では、メモリ４４と、１つまたは複数のプロセッサ２０とは、同じハードウェアコンポーネントの一部であり得る（たとえば、同じボード、モジュール、または集積回路の一部であり得る）。代替的に、メモリ４４と、１つまたは複数であるプロセッサ２０とは、互いに連携して差動することができる別個のコンポーネントであることができる。いくつかの態様では、バス１１は、ＵＥ１１５の複数のコンポーネントおよび副コンポーネントの間でデータを転送する通信システムであることができる。いくつかの例では、１つまたは複数のプロセッサ２０は、モデムプロセッサ、ベースバンドプロセッサ、デジタル信号プロセッサおよび／または送信プロセッサのいずれか１つまたは組合せを含むことができる。追加または代替として、１つまたは複数のプロセッサ２０は、本明細書で説明する１つまたは複数の方法または手順を行うための無認可動作コンポーネント１３０を含むことができる。無認可動作コンポーネント１３０は、ハードウェア、ファームウェア、および／またはソフトウェアを備えることができ、メモリ（たとえば、コンピュータ可読記憶媒体）に記憶されたコードを実行するかまたは命令を実施するように構成されることができる。
【００６５】
[0079]いくつかの例では、ＵＥ１１５は、本明細書で使用されるデータ、ならびに／あるいは１つまたは複数のプロセッサ２０によって実行される無認可動作コンポーネント１３０および／またはそれの副コンポーネントのうちの１つまたは複数に関連するアプリケーションのローカルバージョンを記憶するためになど、メモリ４４を含むことができる。メモリ４４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータまたはプロセッサ２０によって使用可能な任意のタイプのコンピュータ可読媒体を含むことができる。一態様では、たとえば、ＵＥ１１５が、無認可動作コンポーネント１３０および／またはそれの副コンポーネントのうちの１つまたは複数を実行するようにプロセッサ２０を動作させているとき、メモリ４４は、無認可動作コンポーネント１３０および／またはそれの副コンポーネントのうちの１つまたは複数を定義する１つまたは複数のコンピュータ実行可能コード、ならびに／あるいはそれに関連するデータを記憶するコンピュータ可読記憶媒体（たとえば、非一時的媒体）であることができる。いくつかの例では、ＵＥ１１５は、ネットワークエンティティ１０５を介してネットワークに／から、またはそれの使用のためにネットワークエンティティ１０５に１つまたは複数のデータおよび制御信号を送信および／または受信するためのトランシーバ６０をさらに含むことができる。トランシーバ６０は、ハードウェア、ファームウェア、および／またはソフトウェアを備え得、メモリ（たとえば、コンピュータ可読記憶媒体）に記憶されたコードを実行するかまたは命令を実施するように構成されることができる。トランシーバ６０は、モデム１６５を備える第１のＲＡＴ無線機１６０（たとえば、Ｗｉ−Ｆｉ無線機）と、モデム１７５を備える第２のＲＡＴ無線機１７０（たとえば、ＬＴＥ無線機）とを含むことができる。第１のＲＡＴ無線機１６０および第２のＲＡＴ無線機１７０は、ネットワークエンティティ１０５に信号を送信しそれから信号を受信するために１つまたは複数のアンテナ６４を利用することができる。一例では、第１のＲＡＴ無線機１６０はワイヤレスローカルエリアネットワーク（ＷＬＡＮ）に関連し得、第２のＲＡＴ無線機１７０は無認可スペクトルにわたるワイヤレスワイドエリアネットワーク（ＷＷＡＮ）に関連することができる。
【００６６】
[0080]ＵＥ１１５（または、システム１００中の任意の他のデバイス）が、所与のリソース上で通信するために第１のＲＡＴを使用するとき、この通信は、そのリソース上で通信するために第２のＲＡＴを使用する近くのデバイスからの干渉を受ける可能性がある。たとえば、特定の無認可無線周波数（ＲＦ）帯域上で第２のＲＡＴ無線機１７０を使用するＬＴＥを介したネットワークエンティティ１０５による通信は、その帯域上で動作しているＷｉ−Ｆｉデバイスからの干渉を受ける可能性がある。便宜上、無認可ＲＦ帯域上のＬＴＥは、本明細書では、無認可スペクトルにおけるＬＴＥ／ＬＴＥアドバンスト、または周囲のコンテキストにおいて単にＬＴＥと呼ぶことがある。その上、無認可スペクトルにわたって動作するＬＴＥは、共有媒体を使用する競合ベース通信システムにおいて動作するためのＬＴＥの使用または修正に言及することができる。
【００６７】
[0081]ネットワークエンティティ１０５がＵＥ１１５にダウンリンク送信を送るとき、ダウンリンク周波数帯域上の割り当てられたリソースが利用される。たとえば、無認可または共有ＲＦ帯域において動作するネットワークエンティティ１０５は、ダウンリンクデータ送信がその中で送られ得る無線ベアラ（ＲＢ：radio bearer）のインターレースを割り当てられることができる。競合ベースダウンリンクチャネルにおいて他のネットワークエンティティとの衝突を回避するために、ネットワークエンティティ１０５はプリアンブルを送ることができる。
【００６８】
[0082]いくつかのシステムでは、無認可スペクトルにおけるＬＴＥは、すべてのキャリアがワイヤレススペクトルの無認可部分において排他的に動作する、スタンドアロン構成で採用されることができる（たとえば、ＬＴＥスタンドアロン）。他のシステムでは、無認可スペクトルにおけるＬＴＥは、ワイヤレススペクトルの認可部分において動作するアンカー認可キャリアと併せて、ワイヤレススペクトルの無認可部分において動作する１つまたは複数の無認可キャリアを提供することによって、認可帯域動作を補足するように採用されることができる（たとえば、ＬＴＥ補足ダウンリンク（ＳＤＬ：Supplemental DownLink））。いずれの場合も、１つのキャリアが、対応するＵＥのために１次セル（ＰＣｅｌｌ）として働き（たとえば、ＬＴＥ  ＳＤＬにおけるアンカー認可キャリア、またはＬＴＥスタンドアロンにおける無認可キャリアのうちの指定されたキャリア）、残りのキャリアがそれぞれの２次セル（ＳＣｅｌｌ）として働く、異なるコンポーネントキャリアを管理するために、キャリアアグリゲーションが採用されることができる。このようにして、ＰＣｅｌｌは、ＦＤＤペアのダウンリンクおよびアップリンク（認可または無認可）を提供し得、各ＳＣｅｌｌは、必要に応じて追加のダウンリンク容量を提供することができる。
【００６９】
[0083]概して、ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域において、ＳＣ−ＦＤＭでは時間領域において送られる。隣接するサブキャリア間の間隔は固定であり得、サブキャリアの総数（Ｋ）はシステム帯域幅に依存することができる。たとえば、Ｋは、１．２５、２．５、５、１０または２０メガヘルツ（ＭＨｚ）のシステム帯域幅に対してそれぞれ１２８、２５６、５１２、１０２４または２０４８に等しくなることができる。システム帯域幅はまた、サブバンドに区分されることができる。たとえば、サブバンドは１．０８ＭＨｚをカバーし得、１．２５、２．５、５、１０または２０ＭＨｚのシステム帯域幅に対してそれぞれ１、２、４、８または１６個のサブバンドがあり得る。
【００７０】
[0084]ＬＴＥはまた、キャリアアグリゲーションを使用することができる。ＵＥ（たとえば、ＬＴＥアドバンスト対応ＵＥ）は、送信および受信のために使用される最高で合計１００ＭＨｚ（５つのコンポーネントキャリア）のキャリアアグリゲーションにおいて割り振られた、最高２０ＭＨｚ帯域幅のスペクトルを使用することができる。ＬＴＥアドバンスト対応のワイヤレス通信システムのために、２つのタイプのキャリアアグリゲーション（ＣＡ）方法、すなわち、連続ＣＡおよび非連続ＣＡが提案されている。連続ＣＡは、複数の利用可能なコンポーネントキャリアが互いに隣接するときに生じる。一方、非連続ＣＡは、複数の隣接していない利用可能なコンポーネントキャリアが周波数帯域に沿って分離されるときに生じる。非連続ＣＡと連続ＣＡの両方は、ＬＴＥアドバンストＵＥの単一ユニットにサービスするために複数のコンポーネントキャリアをアグリゲートすることができる。
【００７１】
[0085]システム４００などの混合された無線環境では、異なるＲＡＴが、異なる時間に異なるチャネルを利用することがある。異なるＲＡＴがスペクトルを共有し、部分的には他のＲＡＴとは無関係に動作しているので、１つのチャネルへのアクセスは、別のチャネルへのアクセスを意味しないことがある。したがって、複数のチャネルを使用して送信することが可能なデバイスは、送信する前に、各チャネルが利用可能であるかどうかを決定する必要があり得る。帯域幅およびスループットを増大させるために、いくつかの状況では、現在利用可能なチャネルを使用して送信するよりも、さらなるチャネルが利用可能になるのを待つことが有利であり得る。
【００７２】
[0086]同様に、図４Ｂに関して、ネットワークエンティティ１０５は、メモリ４５と、１つまたは複数のプロセッサ２１と、トランシーバ６１とを含み得る。メモリ４５と、１つまたは複数のプロセッサ２１と、トランシーバ６１とは、図４Ａにおいて説明したＵＥ１１５のメモリ４４と、１つまたは複数のプロセッサ２０と、トランシーバ６０とに同じおよび／または同様の方法で動作することができる。さらに、メモリ４５と、１つまたは複数のプロセッサ２１と、トランシーバ６１とは、限定はしないが、モデム１６６をもつ第１のＲＡＴ無線機１６１、モデム１７６をもつ第２のＲＡＴ無線機１７１、およびアンテナ６５を含む、同じおよび／または同様のコンポーネントを動作させることができる。その上、メモリ４５と、１つまたは複数のプロセッサ２１と、トランシーバ６１とは、バス１２を介して内部で通信することができる。
【００７３】
[0087]再び図４Ａを参照すると、無認可動作コンポーネント１３０は、ＵＥ１１５とネットワークエンティティ１０５との間のシグナリングを扱うように構成されることができる。一態様では、無認可動作コンポーネント１３０は、たとえば、修正されたＤＬ／ＵＬサブフレーム構成シグナリングに関して本明細書で説明する様々な動作、機能、および／または特徴を実施するように構成されたＤＬ／ＵＬサブフレーム構成コンポーネント１３１を含むことができる。たとえば、ＤＬ／ＵＬサブフレーム構成コンポーネント１３１は、図６Ａおよび図６Ｂに関して説明する態様を実施するように構成されることができる。
【００７４】
[0088]別の態様では、無認可動作コンポーネント１３０は、たとえば、非周期的ＣＳＩフィードバックに関して本明細書で説明する様々な動作、機能、および／または特徴を実施するように構成されたＣＳＩフィードバックコンポーネント１３２を含むことができる。たとえば、ＣＳＩフィードバックコンポーネント１３２は、図７Ａおよび図７Ｂに関して説明する態様を実施するように構成されることができる。
【００７５】
[0089]別の態様では、無認可動作コンポーネント１３０は、たとえば、無認可キャリアを扱うためにＤＲＸ  ＯＦＦ期間からＵＥをウェイクアップするための修正されたＤＲＸ動作に関して本明細書で説明する様々な動作、機能、および／または特徴を実施するように構成されたＤＲＸコンポーネント１３３を含むことができる。たとえば、ＤＲＸコンポーネント１３３は、図９Ａおよび図９Ｂに関して説明する態様を実施するように構成されることができる。
【００７６】
[0090]図４Ｂを参照すると、追加または代替として、１つまたは複数のプロセッサ２１は、本明細書で説明する１つまたは複数の方法または手順を行うための無認可動作コンポーネント１４０を含むことができる。無認可動作コンポーネント１４０は、ハードウェア、ファームウェア、および／またはソフトウェアを備えることができ、メモリ（たとえば、コンピュータ可読記憶媒体）に記憶されたコードを実行するかまたは命令を実施するように構成されることができる。無認可動作コンポーネント１４０は、ＵＥ１１５とネットワークエンティティ１０５との間のシグナリングを扱うように構成されることができる。一態様では、無認可動作コンポーネント１４０は、たとえば、修正されたＤＬ／ＵＬサブフレーム構成シグナリングに関して本明細書で説明する様々な動作、機能、および／または特徴を実施するように構成されたＤＬ／ＵＬサブフレームコンポーネント１４１を含むことができる。たとえば、ＤＬ／ＵＬサブフレームコンポーネント１４１は、図６Ａおよび図６Ｂに関して説明する態様を実施するように構成されることができる。
【００７７】
[0091]別の態様では、無認可動作コンポーネント１４０は、たとえば、非周期的ＣＳＩフィードバックに関して本明細書で説明する様々な動作、機能、および／または特徴を実施するように構成されたＣＳＩフィードバックコンポーネント１４２を含むことができる。たとえば、ＣＳＩフィードバックコンポーネント１４２は、図７Ａおよび図７Ｂに関して説明する態様を実施するように構成されることができる。
【００７８】
[0092]別の態様では、無認可動作コンポーネント１４０は、たとえば、無認可キャリアを扱うためにＤＲＸ  ＯＦＦ期間からＵＥをウェイクアップするための修正されたＤＲＸ動作に関して本明細書で説明する様々な動作、機能、および／または特徴を実施するように構成されたＤＲＸコンポーネント１４３を含むことができる。たとえば、ＤＲＸコンポーネント１４３は、図９Ａおよび図９Ｂに関して説明する態様を実施するように構成されることができる。
【００７９】
[0093]さらに、限定はしないが、ワイヤレス通信システム４００のネットワークエンティティ１０５を含む、本明細書で使用する１つまたは複数のワイヤレスノードは、基地局またはノードＢ、リレー、ピアツーピアデバイス、認証、許可およびアカウンティング（ＡＡＡ）サーバ、モバイルスイッチングセンター（ＭＳＣ）、無線ネットワークコントローラ（ＲＮＣ）などを含む、ネットワークエンティティなど、任意のタイプのネットワークコンポーネントのうちの１つまたは複数を含むことができる。さらなる態様では、ワイヤレス通信システム４００の１つまたは複数のワイヤレスサービングノードは、限定はしないが、マクロ基地局と比較して比較的小さい送信電力または比較的小さいカバレージエリアを有する、フェムトセル、ピコセル、マイクロセル、または任意の他の基地局など、１つまたは複数のスモールセル基地局を含むことができる。
【００８０】
[0094]ＤＬ／ＵＬサブフレーム構成コンポーネント１３１および１４１に関して上記で説明した、修正されたＤＬ／ＵＬサブフレーム構成の使用に関して、無認可または共有スペクトルにわたるセルラー通信によってサポートされる様々な特徴の調和または収束のための動機付けの一部は、ＣＲＳベースの送信モードとＤＭ−ＲＳベースの送信モードの両方のためのダウンリンク送信のサポートを可能にすることである。一態様は、マルチキャストブロードキャスト単一周波数ネットワーク（ＭＢＳＦＮ）サブフレームがＤＭ−ＲＳベースの送信モードをサポートすることができ、非ＭＢＳＦＮサブフレームがＣＲＳベースの送信モードならびにＤＭ−ＲＳベースの送信モードをサポートすることができるので、同じ送信バースト内でＭＢＳＦＮサブフレームと非ＭＢＳＦＮサブフレームとをサポートすることによってＣＲＳベースの送信モードとＤＭ−ＲＳ送信モードとを多重化することである。図５は、本開示の様々な態様による、多重化されたＭＢＳＦＮサブフレームと非ＭＢＳＦＮサブフレームとをもつダウンリンク送信バースト５００の一例を示す図である。この場合、サブフレームがＭＢＳＦＮサブフレームであるか非ＭＢＳＦＮサブフレームであるかを決定することは、サブフレームを受信するＵＥ（たとえば、ＵＥ１１５）次第である。
【００８１】
[0095]ＵＥによって受信される各ダウンリンクサブフレームについて、シンボル＃０中にＣＲＳがある。シンボル＃０中にはＰＤＣＣＨがあることもないこともある（図５に示されている例ではシンボル＃０中にＰＤＣＣＨがある）。ＵＥは、受信されたダウンリンクサブフレームが有効なダウンリンクサブフレームであるかどうかを決定するために、最初にシンボル＃０中のＣＲＳの存在を検出することができる。したがって、ＵＥは、サブフレーム中に与えられる情報に基づいて現在のダウンリンクサブフレームが有効であるかどうかを決定する。サブフレームごとの決定とは対照的に、他の手法は、ダウンリンクサブフレームの有効性を識別するためにダウンリンク送信バーストの前に与えられる情報に依存する。
【００８２】
[0096]ダウンリンクサブフレームが有効であると決定されると、ＵＥは、次いで、サブフレームのタイプ、すなわち、ダウンリンクサブフレームがＭＢＳＦＮサブフレームであるか非ＭＢＳＦＮサブフレームであるかを決定することができる。そうするための１つの方法は、ＣＲＳを検出することによる。たとえば、ＭＢＳＦＮサブフレームの場合、ＣＲＳはシンボル＃０中に位置し、非ＭＢＳＦＮサブフレームの場合、ＣＲＳはシンボル＃０、＃４、＃７、および＃１１中に位置する。シンボル＃０は、両方のタイプのサブフレームにおいてＰＤＣＣＨを復調するための位相基準を与える。サブフレームのタイプを決定することによって、（サブフレームの終了の前に）極めて速くＰＤＣＣＨを復号し、処理すべきデータがない場合、サブフレームの残りの間マイクロスリープモードに入ることが可能である。
【００８３】
[0097]この修正されたＤＬ／ＵＬサブフレーム構成によって提供される別の特徴は、構成が静的でなく、送信バーストのＭＢＳＦＮサブフレームの比が０％から１００％にわたることができる（すなわち、最高６０％に制限される必要がない）ことである。動的構成を提案することによって、あらゆるダウンリンクサブフレームがＭＢＳＦＮサブフレームであることが可能である（比＝１００％）。したがって、ＤＭ−ＲＳベースの送信モードのみが使用される場合、ダウンリンク送信バースト（たとえば、送信バースト５００）中のあらゆるダウンリンクサブフレームはＭＢＳＦＮサブフレームである。
【００８４】
[0098]この動的構成では、ＵＥは、特定のサブフレームの構成が何であるかを前もって告げられない。代わりに、ＵＥは、上記で説明したようにＣＲＳの存在についてチェックすることによって構成を動的に決定する。たとえば、ＵＥは、ダウンリンクサブフレームが有効なサブフレームであるかどうかを決定するために、最初にシンボル＃０中のＣＲＳの存在についてチェックする。次いで、ＵＥは、ダウンリンクサブフレームがＭＢＳＦＮサブフレームであるか非ＭＢＳＦＮサブフレームであるかを決定する。それは、２つの方法でそうすることができる。１つの手法は、ネットワーク（たとえば、ネットワークエンティティ１０５）が、それぞれのまたは現在のダウンリンクサブフレームがＭＢＳＦＮサブフレームであるか非ＭＢＳＦＮサブフレームであるかをＵＥにシグナリングすることである。別の手法は、ＵＥが、シンボル＃４中のＣＲＳの存在についてチェックすることによって、それぞれのまたは現在のダウンリンクサブフレームがＭＢＳＦＮサブフレームであるか非ＭＢＳＦＮサブフレームであるかをブラインドで検出することである。シンボル＃４中にＣＲＳが存在しない場合、ダウンリンクサブフレームはＭＢＳＦＮサブフレームであり、シンボル＃４中にＣＲＳが存在する場合、ダウンリンクサブフレームは非ＭＢＳＦＮサブフレームである。関係する態様では、マイクロスリープ機会があまり関連性がないとき、ＣＲＳをシンボル＃０中に存在させることが可能であり、場合によっては何らかの他の制御シグナリング、および復調は拡張ＰＤＣＣＨ（ＥＰＤＣＣＨ）に基づくことができる。
【００８５】
[0099]サブフレームのタイプをＵＥにシグナリングすることは異なる方法で行われることができる。たとえば、１つの手法は、物理制御フォーマットインジケータチャネル（ＰＣＦＩＣＨ：physical control format indicator channel）と一緒に情報を符号化することであり得る。ＰＣＦＩＣＨは、典型的には、制御領域に関する情報（たとえば、それが１のシンボル長であるか、２のシンボル長であるか、３のシンボル長であるか）をＵＥに与えるための２ビットを搬送する。この手法では、ビットのうちの一方は、制御領域が１のシンボル長であるか２のシンボル長であるかを示すために依然として使用され得、少なくとも他方のビットは、サブフレームがＭＢＳＦＮサブフレームであるか非ＭＢＳＦＮサブフレームであるかを示すために使用されることができる。このようにシグナリングすることを使用することによって、ＵＥは、サブフレームタイプを決定するためにＣＲＳに依存する必要がない。
【００８６】
[00100]別のシグナリング手法では、ＰＣＦＩＣＨは変更されず、代わりに、ＭＢＳＦＮサブフレームまたは非ＭＢＳＦＮサブフレーム（ＰＨＩＣＨ）が使用される。ＬＡＡまたは無認可スペクトル上のＬＴＥではＵＬ  ＨＡＲＱが非同期であるので、アップリンク送信が完了したかどうかを示すためにＰＨＩＣＨを使用する必要はない。したがって、サブフレームがＭＢＳＦＮサブフレームであるか非ＭＢＳＦＮサブフレームであるかを示す情報の少なくとも１ビットを送信するためにＰＨＩＣＨを使用することが可能であり得る。
【００８７】
[00101]また別のシグナリング手法では、ｅＮＢ（たとえば、ネットワークエンティティ１０５）側でキャリアのすべてについてＭＢＳＦＮ／オンＭＢＳＦＮ構成情報を与えるためにレイヤ１シグナリング（たとえば、ＰＣｅｌｌ上で送信されるＰＤＣＣＨ）が使用されることができる。ＵＥは、ダウンリンクサブフレームの構成を決定するために監視すべき少なくとも１ビット（たとえば、１または２ビット）を割り当てられる。情報がサブフレームごとに送られ得ない場合、前の手法を使用し、サブフレームが送信されるのに先立って構成情報を与えることが可能であり得る。
【００８８】
[00102]上記のように、提示される態様のうちの１つは、サブフレームごとのＤＬ／ＵＬサブフレーム構成のシグナリングである。前の手法では、構成情報は、ダウンリンク送信バーストの開始においてシグナリングされた。生じ得る問題は、バーストの中間においてＤＲＸからウェイクアップするとき（たとえば、ＤＲＸ  ＯＦＦ期間からウェイクアップするとき）、ＵＥが、バーストの残りの部分において情報を処理するために利用可能な構成情報を有しないことがあり、次のダウンリンク送信バーストまで待つ必要があり得、ＤＲＸ動作の目的がいくぶん頓挫するということである。サブフレームごとにＤＬ／ＵＬサブフレーム構成情報を送ることによって、バーストの中間においてウェイクアップすることに伴う問題はもはやない。
【００８９】
[00103]ＤＬ／ＵＬサブフレーム構成シグナリングのタイプの一例において、６つのダウンリンクサブフレームと４つのアップリンクサブフレームとであるように識別された構成では、ネットワークエンティティは、構成中に６つのダウンリンクサブフレームと４つのアップリンクサブフレームとがあることを第１のサブフレーム中でシグナリングすることができる。ネットワークエンティティは、構成中に５つのダウンリンクサブフレームと４つのアップリンクサブフレームとが残っていることを第２のサブフレーム中でシグナリングすることができる。ネットワークエンティティは、さらに、構成中に４つのダウンリンクサブフレームと４つのアップリンクサブフレームとが残っていることを第３のサブフレーム中でシグナリングすることができる。ネットワークエンティティは、最後のアップリンクサブフレームが最後のサブフレーム中でシグナリングされるまでこのタイプのシグナリングを続けることができる。このタイプのシグナリングは、ネットワークエンティティ（たとえば、ｅＮＢ）とＵＥとの間のシグナリングの自己矛盾のない形態を提供する。その上、ＵＥが送信バーストの中間においてＤＲＸからウェイクアップする場合でも、ＵＥは、残りのサブフレームの各々について、チェックによって送信の残りを依然として処理することができる（たとえば、ＵＥは、シンボル＃０中のＣＲＳについてチェックし、次いでサブフレームの残りを復号することによって、ダウンリンクサブフレームが有効であるかどうかをチェックすることができる）。ＤＬ／ＵＬサブフレーム構成のシグナリングは、ＰＦＦＩＣＨ、ＰＨＩＣＨリソース、またはＰＤＣＣＨ共通探索空間（ＣＳＳ：common search space）を使用して情報を送信することによって行われることができる。
【００９０】
[00104]本明細書で説明するサブフレームごとのＤＬ／ＵＬサブフレーム構成のシグナリングの別の利益または有用な態様は、ネットワークエンティティ（たとえば、ｅＮＢ）が、送信バーストの開始後でも構成を変更することができることである。たとえば、６つのダウンリンクサブフレームと４つのアップリンクサブフレームとの初期構成の後に、ネットワークエンティティが２つの追加のダウンリンクサブフレームを含めることを決定した場合、ネットワークエンティティは、最初の２つのダウンリンクサブフレームが生じた後に６つのダウンリンクサブフレームと４つのアップリンクサブフレームとの構成をシグナリングして、８つのダウンリンクサブフレームと４つのアップリンクサブフレームとの構成を効果的に提供することによってそうすることができる。ネットワークエンティティが行い得る変更に関しては制限がある。たとえば、変更は、最大チャネル占有率を超えるようなものであってはならない。また、ネットワークエンティティがすでにアップリンク許可を送っている場合、変更は、アップリンク許可を無効にするようなものであってはならず、すなわち、ネットワークエンティティは、すでに与えられているいかなるアップリンク許可をも越えてダウンリンクサブフレームを拡張してはならない。
【００９１】
[00105]本明細書で説明するサブフレームごとのＤＬ／ＵＬサブフレーム構成のシグナリングの他の利益または有用な態様は、それがＷｉ−Ｆｉチャネル予約信号と同様の方法（たとえば、Ｗｉ−Ｆｉネットワークベクトル割り当てまたはＮＡＶ）で動作することができることである。Ｗｉ−Ｆｉでは、各パケットの媒体アクセス制御（ＭＡＣ）ヘッダは、チャネルが占有されることになり、したがってその時間中に送信が行われない時間量を、パケットを復号するいかなるデバイスにも基本的にそれ示す予約時間を含むことができる。一例では、チャネル中で３ミリ秒の時間が予約され、２ミリ秒はダウンリンク送信のために、および１ミリ秒はアップリンク送信のために予約されることになることが示されることができる。この時間中に、他のデバイスはどんな送信も実施すべきでない。したがって、ＤＬ／ＵＬサブフレーム構成はＬＴＥ無認可予約信号のように振舞う(act)ことができる。この信号を受信するどんなノードまたはデバイスも、いくつのダウンリンクサブフレームおよびアップリンクサブフレームがチャネルを予約させているかについて知ることができ、どんなアップリンク送信にも干渉しなくなるまで送信するのを待つことができる。
【００９２】
[00106]本明細書で説明するサブフレームごとのＤＬ／ＵＬサブフレーム構成のシグナリングの追加の一態様は、何らかの理由（たとえば、構成情報を適切に復号するための問題）で１つのサブフレームのための構成が消失した場合、サブフレームが有効なサブフレームである（たとえば、シンボル＃０中にＣＲＳが検出される）ならば、現在のサブフレームを復号するために次のサブフレーム中の構成を使用することが可能であり得るので、続行することは構わないかもしれない。
【００９３】
[00107]図６Ａおよび図６Ｂは、本開示の様々な態様による、各サブフレームにおけるＤＬ／ＵＬサブフレーム構成のシグナリングに関係する方法の例を示す流れ図である。以下で説明する動作は、特定の順序において提示されおよび／または例示的なコンポーネントによって実施されるものとして提示されるが、アクションの順序およびアクションを実施するコンポーネントは、インプリメンテーションに応じて変更され得ることを理解されたい。また、無認可動作コンポーネント１３０および１４０はいくつかの副コンポーネントを有するものとして示されるが、図示される副コンポーネントのうちの１つまたは複数は、通信しているが、無認可動作コンポーネント１３０および１４０、ならびに／あるいは互いとは別個であり得ることを理解されたい。その上、コンポーネント１３０および１４０ならびに／あるいはそれらの副コンポーネントに関して以下で説明するアクションまたはコンポーネントのいずれも、特別にプログラムされたプロセッサ、特別にプログラムされたソフトウェアまたはコンピュータ可読媒体を実行するプロセッサによって、あるいは説明するアクションまたはコンポーネントを実施するために特別に構成されたハードウェアコンポーネントおよび／またはソフトウェアコンポーネントの任意の他の組合せによって実施され得ることを理解されたい。
【００９４】
[00108]図６Ａを参照すると、一態様では、ブロック６１０において、方法６００は、無認可スペクトルにわたるＷＷＡＮ通信のためのサブフレーム構成を識別することを含み、サブフレーム構成は、送信バーストにおけるそれぞれのダウンリンクサブフレームがＭＢＳＦＮサブフレームに対応するか非ＭＢＳＦＮサブフレームに対応するかを示す。一態様では、たとえば、ネットワークエンティティ１０５（たとえば、ｅＮＢ）、プロセッサ２１、および／またはメモリ４５は、サブフレーム構成を識別するために無認可動作コンポーネント１４０および／またはＤＬ／ＵＬサブフレーム構成コンポーネント１４１を実行し得る。さらなる態様では、処理システム１２１４（図１２）、プロセッサ１２０４、および／またはメモリ１２０６は、サブフレーム構成を識別するために無認可動作コンポーネント１１２０を実行することができる。
【００９５】
[00109]ブロック６２０において、方法６００は、サブフレーム構成の表示を少なくとも１つのＵＥに送信することを含む。一態様では、たとえば、ネットワークエンティティ１０５、プロセッサ２１、および／またはメモリ４５は、サブフレーム構成の表示を送信するために無認可動作コンポーネント１４０、ＤＬ／ＵＬサブフレームコンポーネント１４１、および／またはトランシーバ６１を実行することができる。さらなる態様では、処理システム１２１４（図１２）、プロセッサ１２０４、および／またはメモリ１２０６は、サブフレーム構成の表示を送信するために送信コンポーネント１１１２を実行することができる。
【００９６】
[00110]図６Ｂを参照すると、一態様では、ブロック６６０において、方法６５０は、ネットワークエンティティから、無認可スペクトルにわたるＷＷＡＮ通信のためのサブフレーム構成の表示を受信することを含み、サブフレーム構成は、送信バーストにおける現在のダウンリンクサブフレームに関連する。一態様では、たとえば、ＵＥ１１５、プロセッサ２０、および／またはメモリ４４は、表示を受信するために無認可動作コンポーネント１３０、ＤＬ／ＵＬサブフレームコンポーネント１３１、および／またはトランシーバ６０を実行することができる。さらなる態様では、処理システム１４１４（図１４）、プロセッサ１４０４、および／またはメモリ１４０６は、表示を受信するために受信コンポーネント１３０４を実行することができる。
【００９７】
[00111]ブロック６７０において、方法６５０は、表示に基づいて現在のダウンリンクサブフレームがＭＢＳＦＮサブフレームであるか非ＭＢＳＦＮサブフレームであるかを決定することを含む。一態様では、たとえば、ＵＥ１１５、プロセッサ２０、および／またはメモリ４４は、サブフレームタイプを決定するために無認可動作コンポーネント１３０および／またはＤＬ／ＵＬサブフレームコンポーネント１３１を実行することができる。さらなる態様では、処理システム１４１４（図１４）、プロセッサ１４０４、および／またはメモリ１４０６は、サブフレームタイプを決定するために無認可動作コンポーネント１３２０を実行することができる。
【００９８】
[00112]上記で説明したＤＬ／ＵＬサブフレーム構成の修正に加えて、無認可または共有スペクトルにわたるセルラー通信によってサポートされる様々な特徴の調和または収束に関係する他の態様は、周期的チャネル状態情報（ＣＳＩ）フィードバックと非周期的ＣＳＩフィードバックの両方のサポートを含むことができる。この手法では、ＣＳＩ基準信号（ＣＳＩ−ＲＳ：CSI reference signal）およびＣＳＩ干渉測定（ＣＳＩ−ＩＭ：CSI interference measurement）などのリソースは非周期的に構成されることができ、ＣＳＩフィードバックの報告も非周期的に与えられることができる。一例では、リソースはサブフレーム中で与えられることがあり、リソースが利用可能であるという、それらのリソースに基づいてフィードバック（たとえば、報告）を与えるための表示も、サブフレーム中でＵＥのサブセットに与えられる（それらのＵＥからのＣＳＩフィードバックが望ましい）。サブセット中にないが、ＣＳＩフィードバックを与えるためのアップリンク許可を有することができるＵＥにも、リソースは示されることができる。また、リソースが与えられる１サブフレーム前にリソースを示すことが可能であり得る。いくつかの事例では、ＰＤＣＣＨは、サブフレーム中で利用可能なリソースを示すために使用されることができる。リソースの利用可能性の表示を受信するＵＥは、示されたリソースに基づいて何らかのＣＳＩ測定を実施する前に、サブフレームが有効なダウンリンクサブフレームであるかどうかを決定するためにサブフレームのチェックを実施することができる（たとえば、シンボル＃０上のＣＲＳについてのチェック）。
【００９９】
[00113]図７Ａおよび図７Ｂは、本開示の様々な態様による、非周期的ＣＳＩフィードバックのためのシグナリングに関係する方法の例を示す流れ図である。
【０１００】
[00114]図７Ａを参照すると、一態様では、ブロック７１０において、方法７００は、無認可スペクトルにわたるＷＷＡＮ通信に関連するＣＳＩのための非周期的に送信されるリソースを識別することを含む。一態様では、たとえば、ネットワークエンティティ１０５、プロセッサ２１、および／またはメモリ４５は、リソースを識別するために無認可動作コンポーネント１４０および／またはＣＳＩフィードバックコンポーネント１４２を実行することができる。さらなる態様では、処理システム１２１４（図１２）、プロセッサ１２０４、および／またはメモリ１２０６は、リソースを識別するために無認可動作コンポーネント１１２０を実行することができる。
【０１０１】
[00115]ブロック７２０において、方法７００は、ＵＥのセットにリソースの表示と非周期的ＣＳＩ報告についての要求とを送信することを含む。一態様では、たとえば、ネットワークエンティティ１０５、プロセッサ２１、および／またはメモリ４５は、リソースの表示を送信するために無認可動作コンポーネント１４０、ＣＳＩフィードバックコンポーネント１４２、および／またはトランシーバ６１を実行することができる。さらなる態様では、処理システム１２１４（図１２）、プロセッサ１２０４、および／またはメモリ１２０６は、リソースの表示を送信するために無認可動作コンポーネント１１２０および／または送信コンポーネント１１１２を実行することができる。
【０１０２】
[00116]図７Ｂを参照すると、一態様では、ブロック７６０において、方法７５０は、ネットワークエンティティから、無認可スペクトルにわたるＷＷＡＮ通信に関連するＣＳＩのための非周期的に送信されるリソースの表示と、非周期的ＣＳＩ報告についての要求とを受信することを含む。一態様では、たとえば、ＵＥ１１５、プロセッサ２０、および／またはメモリ４４は、表示を受信するために無認可動作コンポーネント１３０、ＣＳＩフィードバックコンポーネント１３２、および／またはトランシーバ６０を実行することができる。さらなる態様では、処理システム１４１４（図１４）、プロセッサ１４０４、および／またはメモリ１４０６は、表示を受信するために受信コンポーネント１３０４を実行することができる。
【０１０３】
[00117]ブロック７７０において、方法７５０は、リソースの表示に少なくとも部分的に基づいてＣＳＩ測定および非周期的ＣＳＩ報告を実施することを含む。一態様では、たとえば、ＵＥ１１５、プロセッサ２０、および／またはメモリ４４は、測定と非周期的ＣＳＩ報告とを実施するために無認可動作コンポーネント１３０、ＣＳＩフィードバックコンポーネント１３２、および／またはトランシーバ６０を実行することができる。さらなる態様では、処理システム１４１４（図１４）、プロセッサ１４０４、および／またはメモリ１４０６は、測定と非周期的ＣＳＩ報告とを実施するために無認可動作コンポーネント１３２０を実行することができる。
【０１０４】
[00118]上記で説明したＤＬ／ＵＬサブフレーム構成とＣＳＩフィードバック動作との修正に加えて、無認可または共有スペクトルにわたるセルラー通信によってサポートされる様々な特徴の調和または収束に関係する別の態様は、認可キャリアと無認可キャリアとをサポートするためのＤＲＸ動作への修正を含むことができる。図８は、本開示の様々な態様による、認可および無認可キャリアのためのＤＲＸウェイクアップ動作の一例を示す図８００である。図８では送信バーストの開始における予約信号の使用について説明するが、上記で説明したサブフレームごとのシグナリングの構成の使用も、図８に示されているＤＲＸ手順に適用可能であり得る。
【０１０５】
[00119]上記のように、ＤＲＸ手順は、多数のキャリアを扱うことと、また、認可スペクトル上のキャリア（たとえば、認可キャリア）および無認可スペクトル上のキャリア（たとえば、無認可キャリア）など、異なるキャリアの使用を扱うこととのために初期に設計されなかった。認可キャリアの場合、たとえば、ＵＥは、ＤＲＸからウェイクアップする（たとえば、ＤＲＸ  ＯＦＦ期間からウェイクアップする）ことが可能であり、また、ウェイクアップした後に認可キャリア上でデータを受信する可能性があるので、データを処理することが可能であり得る。無認可キャリアの場合、ＵＥはＤＲＸからウェイクアップし得、何らかの他のデバイスがチャネルを占有していることがあるので、処理されるべきデータがない。そのような場合、ＵＥは、何らかの種類の測定を行い、次いでスリープに戻ることができる。
【０１０６】
[00120]これらの問題に対処するために、ＤＲＸ手順は、ＵＥが、１つまたは複数の認可キャリア（たとえば、認可キャリアのサブセット）のためにＤＲＸからウェイクアップするように修正されることができる。ＵＥがウェイクアップしたとき、ＵＥは、無認可キャリアのためにウェイクアップするようにとの表示（たとえば、許可）を、認可キャリア上でネットワークエンティティ（たとえば、ＰＣｅｌｌ）から受信することができる。表示は、ダウンリンク許可受信機を用いた明示的表示（たとえば、ウェイクアップするようにとの命令）または暗黙的表示であってよい。ＵＥは、次いで、無認可キャリアについての適切なデータを受信するために、無認可キャリアのためにウェイクアップすることができる。１つのタイプまたは別のタイプのキャリアのためのウェイクアップは、そのタイプのキャリア上で与えられるデータを扱うことを可能にするために、適切なハードウェア、ソフトウェア、および／またはファームウェアを有効化するかまたは動作させることを伴うことができる。一面では、この修正されたＤＲＸ手順は、認可トリガされる無認可ＤＲＸと呼ばれることができる。すなわち、無認可キャリアのためのＤＲＸウェイクアップは、ＵＥが認可キャリアのためにＤＲＸからウェイクアップした後に、認可キャリア（たとえば、認可キャリアによって与えられる表示）によってトリガされる。
【０１０７】
[00121]図９Ａおよび図９Ｂは、本開示の様々な態様による、認可および無認可キャリアのためのＤＲＸウェイクアップ動作のためのシグナリングに関係する方法の例を示す流れ図である。
【０１０８】
[00122]図９Ａを参照すると、一態様では、ブロック９１０において、方法９００は、ＵＥが無認可スペクトルにわたって１つまたは複数のキャリアを扱うために無認可スペクトルにおいてＤＲＸ  ＯＦＦ期間からウェイクアップすべきであると決定することを含む。一態様では、たとえば、ネットワークエンティティ１０５、プロセッサ２１、および／またはメモリ４５は、ＵＥ（たとえば、ＵＥ１１５）が無認可キャリアのためにＤＲＸからウェイクアップすべきであると決定するために無認可動作コンポーネント１４０および／またはＤＲＸコンポーネント１４３を実行することができる。さらなる態様では、処理システム１２１４（図１２）、プロセッサ１２０４、および／またはメモリ１２０６は、無認可キャリアのためにＤＲＸからウェイクアップするために無認可動作コンポーネント１１２０を実行することができる。
【０１０９】
[00123]ブロック９２０において、方法９００は、無認可スペクトルにおいてＤＲＸ  ＯＦＦ期間からウェイクアップするように、認可スペクトル中のキャリアを介してＵＥに表示を送信することを含む。一態様では、たとえば、ネットワークエンティティ１０５、プロセッサ２１、および／またはメモリ４５は、無認可キャリアのためにウェイクアップするようにＵＥに表示を送信するために、無認可動作コンポーネント１４０、ＤＲＸコンポーネント１４３、および／またはトランシーバ６１を実行することができる。さらなる態様では、処理システム１２１４（図１２）、プロセッサ１２０４、および／またはメモリ１２０６は、無認可キャリアのためにウェイクアップするようにＵＥに表示を送信するために、無認可動作コンポーネント１１２０および／または送信コンポーネント１１１２を実行することができる。
【０１１０】
[00124]図９Ｂを参照すると、一態様では、ブロック９６０において、方法９５０は、ＵＥにおいておよび認可スペクトル中のキャリアを介して、ＵＥが無認可スペクトルにわたって１つまたは複数のキャリアを扱うために無認可スペクトルにおいてＤＲＸ  ＯＦＦ期間からウェイクアップすべきであるという表示を受信することを含む。一態様では、たとえば、ＵＥ１１５、プロセッサ２０、および／またはメモリ４４は、１つまたは複数の認可キャリア上で表示を受信するために無認可動作コンポーネント１３０、ＤＲＸコンポーネント１３３、および／またはトランシーバ６０を実行することができる。さらなる態様では、処理システム１４１４（図１４）、プロセッサ１４０４、および／またはメモリ１４０６は、１つまたは複数の認可キャリア上で表示を受信するために受信コンポーネント１３０４を実行することができる。
【０１１１】
[00125]ブロック９７０において、方法９５０は、表示を受信したことに応答して、無認可スペクトルにおいてＤＲＸ  ＯＦＦ期間からウェイクアップすることを含む。一態様では、たとえば、ＵＥ１１５、プロセッサ２０、および／またはメモリ４４は、１つまたは複数の無認可キャリアにわたってデータまたは他のシグナリングを受信するために無認可スペクトルにおいてウェイクアップするために、無認可動作コンポーネント１３０、ＤＲＸコンポーネント１３３、および／またはトランシーバ６０を実行することができる。さらなる態様では、処理システム１４１４（図１４）、プロセッサ１４０４、および／またはメモリ１４０６は、１つまたは複数の無認可キャリアにわたってデータまたは他のシグナリングを受信するために無認可スペクトルにおいてウェイクアップするために、無認可動作コンポーネント１３２０を実行することができる。
【０１１２】
[00126]図１０は、本開示の様々な態様による、認可および無認可キャリアのためのディスカバリ基準信号（ＤＲＳ）の無線リソース管理（ＲＲＭ）の一例を示す図１０００である。上述したように、ＭＢＳＦＮサブフレームがＤＭ−ＲＳベースの送信モードをサポートすることができ、非ＭＢＳＦＮサブフレームがＣＲＳベースの送信モードならびにＤＭ−ＲＳベースの送信モードをサポートすることができるように、同じ送信バースト内でＭＢＳＦＮサブフレームと非ＭＢＳＦＮサブフレームとをサポートすることによってＣＲＳベースの送信モードとＤＭ−ＲＳ送信モードとを多重化すること。たとえば、ＤＲＳは、１次同期信号（ＰＳＳ）、２次同期信号（ＳＳＳ）、および／またはセル固有基準信号（ＣＲＳ）を含むことができる。一態様では、ＣＲＳは、１ポートまたは２ポートＣＲＳに対応し得る。さらに、ＤＲＳは、場合によってはチャネル状態情報基準信号（ＣＳＩ−ＲＳ）を含むことができる。さらに、ＤＲＳは、ＴＢＤ符号化とともにパブリックランドモバイルネットワーク（ＰＬＭＮ）インジケータを含むことができる。
【０１１３】
[00127]一態様では、図１０００は、ダウンリンク送信バーストのための２つのＤＲＳ構造を示している。第１の態様では、圧縮されたＤＲＳが送信され得、第２の態様では、ＤＲＳはＲｅｌ−１２に従って送信されることができる（すなわち、Ｒｅｌ−１２  ＤＲＳ）。ダウンリンク送信バーストでは、ＤＲＳは周期的に反復される、たとえば、ＤＲＳは、１次セル（ＰＣｅｌｌ）タイミングに対してサブフレーム０またはサブフレーム０および５など、サブフレームごとに発見信号測定タイミング構成（ＤＭＴＣ：Discovery Signal Measurement Timing Configuration）の外部で反復されることができる。その上、以前のインプリメンテーションをサポートするために、ＲＲＭ測定は、サブフレームの中心に位置する６つのＲＢなど、所定数のＲＢに基づくことができる。
【０１１４】
[00128]図１１は、無認可動作コンポーネント１４０と同じまたは同様であり得る、無認可動作コンポーネント１１２０を含む例示的な装置１１０２中の異なる手段／コンポーネント間のデータフローを示す概念データフロー図１１００である。装置１１０２は、図１および図４Ｂの基地局１０５を含むことができる基地局であり得る。装置１１０２は無認可動作コンポーネント１１２０を含み、無認可動作コンポーネント１１２０は、一態様では、無認可スペクトルにわたるＷＷＡＮ通信のためのサブフレーム構成を識別すること、サブフレーム構成が、送信バーストにおけるそれぞれのダウンリンクサブフレームがＭＢＳＦＮサブフレームに対応するか非ＭＢＳＦＮサブフレームに対応するかを示す、無認可スペクトルにわたるＷＷＡＮ通信に関連するＣＳＩのための非周期的に送信されるリソースを識別すること、および／またはＵＥが無認可スペクトルにわたって１つまたは複数のキャリアを扱うために無認可スペクトルにおいてＤＲＸ  ＯＦＦ期間からウェイクアップすべきであると決定することを行う。装置１１０２は送信コンポーネント１１１２をさらに含み、送信コンポーネント１１１２は、サブフレーム構成の表示をＵＥ１１５などの少なくとも１つのＵＥに送信すること、ＵＥのセットにリソースの表示と非周期的ＣＳＩ報告についての要求とを送信すること、および／または無認可スペクトルにおいてＤＲＸ  ＯＦＦ期間からウェイクアップするように、認可スペクトル中のキャリアを介してＵＥに表示を送信することを行う。さらに、装置１１０２は、１つまたは複数のＵＥのうちの少なくとも１つから１つまたは複数の信号を受信する受信コンポーネント１１０４を含む。
【０１１５】
[00129]本装置は、図１１の上述のフローチャート中のアルゴリズムのブロックの各々を実施する追加のコンポーネントを含むことができる。したがって、図１１の上述のフローチャート中の各ブロックは、１つのコンポーネントによって実施され得、本装置は、それらのコンポーネントのうちの１つまたは複数を含むことができる。コンポーネントは、述べられたプロセス／アルゴリズムを遂行するように特に構成された１つまたは複数のハードウェアコンポーネントであるか、述べられたプロセス／アルゴリズムを実施するように構成されたプロセッサによってインプリメントされるか、プロセッサによるインプリメンテーションのためにコンピュータ可読媒体内に記憶されるか、またはそれらの何らかの組合せであり得る。
【０１１６】
[00130]図１２は、無認可動作コンポーネント１４０（図４Ｂ）と同じまたは同様であり得る、無認可動作コンポーネント１１２０（図１１１１）を含む処理システム１２１４を採用する装置１１０２’のためのハードウェアインプリメンテーションの一例を示す図１２００である。処理システム１２１４は、バス１２２４によって全体的に表される、バスアーキテクチャを用いてインプリメントされることができる。バス１２２４は、処理システム１２１４の具体的な適用例および全体的な設計制約に応じて、任意の数の相互接続用バスおよびブリッジを含むことができる。バス１２２４は、プロセッサ２１（図４Ｂ）、コンポーネント１１０４、１１１２、および１１２０と同じまたは同様であり得る、プロセッサ１２０４によって表される、１つまたは複数のプロセッサおよび／またはハードウェアコンポーネント、ならびに、メモリ４５（図４Ｂ）と同じまたは同様であり得るコンピュータ可読媒体／メモリ１２０６を含む、様々な回路を互いにリンクする。バス１２２４はまた、タイミングソース、周辺機器、電圧調整器、および電力管理回路など、様々な他の回路をリンクすることができるが、これらの回路は当技術分野においてよく知られており、したがって、これ以上説明されない。
【０１１７】
[00131]処理システム１２１４はトランシーバ１２１０に結合されることができる。トランシーバ１２１０は１つまたは複数のアンテナ１２２０に結合される。トランシーバ１２１０は、送信媒体を介して様々な他の装置と通信するための手段を提供する。トランシーバ１２１０は、１つまたは複数のアンテナ１２２０から信号を受信し、受信された信号から情報を抽出し、抽出された情報を処理システム１２１４、特に受信コンポーネント８０４に与える。さらに、トランシーバ１２１０は、処理システム１２１４、特に送信コンポーネント１１１２から情報を受信し、受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む全体的な処理を担当する。ソフトウェアは、プロセッサ１２０４によって実行されたとき、任意の特定の装置のための上記で説明した様々な機能を処理システム１２１４に実施させる。コンピュータ可読媒体／メモリ１２０６はまた、ソフトウェアを実行するときにプロセッサ１２０４によって操作されるデータを記憶するために使用されることができる。処理システム１２１４は、コンポーネント１１０４、１１１２、および１１２０のうちの少なくとも１つをさらに含む。それらのコンポーネントは、プロセッサ１２０４中で動作し、コンピュータ可読媒体／メモリ１２０６中に存在する／記憶されたソフトウェアコンポーネントであるか、プロセッサ１２０４に結合された１つまたは複数のハードウェアコンポーネント要素であるか、またはそれらの何らかの組合せであり得る。
【０１１８】
[00132]一構成では、ワイヤレス通信のための装置１２０２／１１０２’は、無認可スペクトルにおいてＣＲＳベースのＴＭとＤＭ−ＲＳベースのＴＭとの間で調和させるための手段を含む。本装置は、無認可スペクトルにわたるＷＷＡＮ通信のためのサブフレーム構成を識別するための手段、サブフレーム構成が、送信バーストにおけるそれぞれのダウンリンクサブフレームがＭＢＳＦＮサブフレームに対応するか非ＭＢＳＦＮサブフレームに対応するかを示す、無認可スペクトルにわたるＷＷＡＮ通信に関連するＣＳＩのための非周期的に送信されるリソースを識別するための手段、および／またはＵＥが無認可スペクトルにわたって１つまたは複数のキャリアを扱うために無認可スペクトルにおいてＤＲＸ  ＯＦＦ期間からウェイクアップすべきであると決定するための手段を含む。さらに、別の構成では、ワイヤレス通信のための装置１２０２／１１０２’は、サブフレーム構成の表示をＵＥ１１５などの少なくとも１つのＵＥに送信するための手段、ＵＥのセットにリソースの表示と非周期的ＣＳＩ報告についての要求とを送信するための手段、および／または無認可スペクトルにおいてＤＲＸ  ＯＦＦ期間からウェイクアップするように、認可スペクトル中のキャリアを介してＵＥに表示を送信するための手段を含む。
【０１１９】
[00133]上述の手段は、上述の手段によって記載された機能を実施するように構成された、装置１２０２、および／または装置８０２’の処理システム１２１４の上述のコンポーネントのうちの１つまたは複数であることができる。上述したように、処理システム１２１４は、ＴＸプロセッサ３１６と、ＲＸプロセッサ３７０と、コントローラ／プロセッサ３７５とを含むことができる。したがって、一構成では、上述の手段は、上述の手段によって記載された機能を実施するように構成された、ＴＸプロセッサ３１６と、ＲＸプロセッサ３７０と、コントローラ／プロセッサ３７５とであり得る。
【０１２０】
[00134]図１３は、無認可動作コンポーネント１３０と同じまたは同様であり得る、通信コンポーネント１３２０を含む例示的な装置１３０２中の異なる手段／コンポーネント間のデータフローを示す概念データフロー図１３００である。装置１３０２は、図１および図４ＡのＵＥ１１５を含むことができるＵＥであり得る。装置１３０２は受信コンポーネント１３０４を含み、受信コンポーネント１３０４は、一態様では、基地局１３５などのネットワークエンティティから、無認可スペクトルにわたるＷＷＡＮ通信のためのサブフレーム構成の表示を受信すること、サブフレーム構成が、送信バーストにおける現在のダウンリンクサブフレームに関連する、ネットワークエンティティから、無認可スペクトルにわたるＷＷＡＮ通信に関連するＣＳＩのための非周期的に送信されるリソースの表示と、非周期的ＣＳＩ報告についての要求とを受信すること、および／または認可スペクトル中のキャリアを介して、ＵＥが無認可スペクトルにわたって１つまたは複数のキャリアを扱うために無認可スペクトルにおいてＤＲＸ  ＯＦＦ期間からウェイクアップすべきであるという表示を受信することを行う。装置１３０２は無認可動作コンポーネント１３２０を含み、無認可動作コンポーネント１３２０は、表示に基づいて現在のダウンリンクサブフレームがＭＢＳＦＮサブフレームであるか非ＭＢＳＦＮサブフレームであるかを決定すること、リソースの表示に少なくとも部分的に基づいてＣＳＩ測定および非周期的ＣＳＩ報告を実施すること、および／または表示を受信したことに応答して、無認可スペクトルにおいてＤＲＸ  ＯＦＦ期間からウェイクアップすることを行う。一態様では、装置１３０２は、１つまたは複数の基地局のうちの少なくとも１つに１つまたは複数の信号を送信する送信コンポーネント１３１２をさらに含む。
【０１２１】
[00135]本装置は、図１３の上述のフローチャート中のアルゴリズムのブロックの各々を実施する追加のコンポーネントを含むことができる。したがって、図１３の上述のフローチャート中の各ブロックは、１つのコンポーネントによって実施され得、本装置は、それらのコンポーネントのうちの１つまたは複数を含むことができる。コンポーネントは、述べられたプロセス／アルゴリズムを遂行するように特に構成された１つまたは複数のハードウェアコンポーネントであるか、述べられたプロセス／アルゴリズムを実施するように構成されたプロセッサによってインプリメントされるか、プロセッサによるインプリメンテーションのためにコンピュータ可読媒体内に記憶されるか、またはそれらの何らかの組合せであることができる。
【０１２２】
[00136]図１４は、無認可動作コンポーネント１３０（図４Ａ）と同じまたは同様であり得る、無認可動作コンポーネント１３２０（図１３）を含む処理システム１４１４を採用する装置１００２’のためのハードウェアインプリメンテーションの一例を示す図１４００である。処理システム１４１４は、バス１４２４によって全体的に表される、バスアーキテクチャを用いてインプリメントされることができる。バス１４２４は、処理システム１４１４の特定の適用例および全体的な設計制約に応じて、任意の数の相互接続用バスおよびブリッジを含むことができる。バス１４２４は、プロセッサ２０（図４Ａ）、コンポーネント１３０４、１３１０、および１３１２と同じまたは同様であり得る、プロセッサ１４０４によって表される、１つまたは複数のプロセッサおよび／またはハードウェアコンポーネント、ならびに、メモリ４４（図４Ａ）と同じまたは同様であり得るコンピュータ可読媒体／メモリ１４０６を含む、様々な回路を互いにリンクする。バス１４２４はまた、タイミングソース、周辺機器、電圧調整器、および電力管理回路など、様々な他の回路をリンクし得るが、これらの回路は当技術分野においてよく知られており、したがって、これ以上説明されない。
【０１２３】
[00137]処理システム１４１４はトランシーバ１４１０に結合され得る。トランシーバ１４１０は１つまたは複数のアンテナ１４２０に結合される。トランシーバ１４１０は、送信媒体を介して様々な他の装置と通信するための手段を提供する。トランシーバ１４１０は、１つまたは複数のアンテナ１４２０から信号を受信し、受信された信号から情報を抽出し、抽出された情報を処理システム１４１４、特に受信コンポーネント１００４に与える。さらに、トランシーバ１４１０は、処理システム１４１４、特に送信コンポーネント１４１２から情報を受信し、受信された情報に基づいて、１つまたは複数のアンテナ１４２０に適用されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６に記憶されたソフトウェアの実行を含む全体的な処理を担当する。ソフトウェアは、プロセッサ１４０４によって実行されたとき、任意の特定の装置のための上記で説明した様々な機能を処理システム１４１４に実施させる。コンピュータ可読媒体／メモリ１４０６はまた、ソフトウェアを実行するときにプロセッサ１４０４によって操作されるデータを記憶するために使用されることができる。処理システム１４１４は、コンポーネント１３０４、１３１０、および１３１２のうちの少なくとも１つをさらに含む。それらのコンポーネントは、プロセッサ１４０４中で動作し、コンピュータ可読媒体／メモリ１４０６中に存在する／記憶されたソフトウェアコンポーネントであるか、プロセッサ１４０４に結合された１つまたは複数のハードウェアコンポーネントであるか、またはそれらの何らかの組合せであることができる。
【０１２４】
[00138]一構成では、ワイヤレス通信のための装置１４０２／１３０２’は、基地局１３５などのネットワークエンティティから、無認可スペクトルにわたるＷＷＡＮ通信のためのサブフレーム構成の表示を受信するための手段、サブフレーム構成が、送信バーストにおける現在のダウンリンクサブフレームに関連する、ネットワークエンティティから、無認可スペクトルにわたるＷＷＡＮ通信に関連するＣＳＩのための非周期的に送信されるリソースの表示と、非周期的ＣＳＩ報告についての要求とを受信するための手段、および／または認可スペクトル中のキャリアを介して、ＵＥが無認可スペクトルにわたって１つまたは複数のキャリアを扱うために無認可スペクトルにおいてＤＲＸ  ＯＦＦ期間からウェイクアップすべきであるという表示を受信するための手段を含む。本装置は、表示に基づいて現在のダウンリンクサブフレームがＭＢＳＦＮサブフレームであるか非ＭＢＳＦＮサブフレームであるかを決定するための手段を含む。さらに、別の構成では、ワイヤレス通信のための装置１４０２／１３０２’は、リソースの表示に少なくとも部分的に基づいてＣＳＩ測定および非周期的ＣＳＩ報告を実施するための手段を含む。本装置は、表示を受信したことに応答して、無認可スペクトルにおいてＤＲＸ  ＯＦＦ期間からウェイクアップするための手段を含む。
【０１２５】
[00139]上述の手段は、上述の手段によって詳細に説明された機能を実施するように構成された、装置１４０２、および／または装置１３０２’の処理システム１４１４の上述のコンポーネントのうちの１つまたは複数であることができる。上述したように、処理システム１４１４は、ＴＸプロセッサ３６８と、ＲＸプロセッサ３５６と、コントローラ／プロセッサ３５９とを含むことができる。したがって、一構成では、上述の手段は、上述の手段によって記載された機能を実施するように構成された、ＴＸプロセッサ３６８と、ＲＸプロセッサ３５６と、コントローラ／プロセッサ３５９とであることができる。
【０１２６】
[00140]開示されたプロセス中のステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略されることができる。添付の方法クレームは、様々なステップの要素を見本の順序において提示しており、提示された特定の順序または階層に限定されることを意味するものではない。
【０１２７】
[00141]いくつかの態様では、装置または装置のコンポーネントは、本明細書で教示する機能を与えるように構成されることができる（またはそのように動作可能であるかもしくは適応されることができる）。これは、たとえば、その機能を与えるように装置もしくはコンポーネントを製造する（たとえば、作製する）ことによって、その機能を与えるように装置もしくはコンポーネントをプログラムすることによって、または何らかの他の適切なインプリメンテーション技法の使用によって達成されることができる。一例として、集積回路は、必須の機能を与えるために作製されることができる。別の例として、集積回路は、必須の機能をサポートするために作製され、次いで、必須の機能を与えるように（たとえば、プログラミングによって）構成されることができる。また別の例として、プロセッサ回路は、必須の機能を与えるためのコードを実行することができる。
【０１２８】
[00142]本明細書における「第１」、「第２」などの名称を使用した要素への言及は、それらの要素の量または順序を概括的に限定するものでないことを理解されたい。そうではなく、これらの名称は、本明細書で、２つ以上の要素または要素のインスタンスの間で区別する便利な方法として使用されることができる。したがって、第１および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を備えることができる。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含むことができる。
【０１２９】
[00143]情報および信号は、多種多様な技術および技法のいずれかを使用して表されることができることを当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表されることができる。
【０１３０】
[00144]さらに、本明細書で開示する態様に関して説明した様々な例示的な論理ブロック、モジュール、回路、およびアルゴリズムステップは、電子ハードウェア、コンピュータソフトウェア、または両方の組合せとしてインプリメントされることができることを、当業者は諒解されよう。ハードウェアとソフトウェアのこの互換性を明確に示すために、様々な例示的なコンポーネント、ブロック、モジュール、回路、およびステップについて、概してそれらの機能に関して上記で説明した。そのような機能がハードウェアとしてインプリメントされるか、ソフトウェアとしてインプリメントされるかは、特定の適用例および全体的なシステムに課された設計制約に依存する。当業者は、説明した機能を特定の適用例ごとに様々な方法でインプリメントし得るが、そのようなインプリメンテーションの決定は、本開示の範囲からの逸脱を生じるものと解釈されるべきではない。
【０１３１】
[00145]本明細書で開示する態様に関して説明した方法、シーケンスおよび／またはアルゴリズムは、ハードウェアで直接、プロセッサによって実行されるソフトウェアモジュールで、またはそれらの２つの組合せで、具現化されることができる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体内に存在することができる。例示的な記憶媒体は、プロセッサが、記憶媒体から情報を読み取り、記憶媒体に情報を書き込むことができるようにプロセッサに結合される。代替として、記憶媒体はプロセッサに一体化されることができる。
【０１３２】
[00146]したがって、本開示の態様は、不認可スペクトルにおける送信のための動的帯域幅管理のための方法を具現化するコンピュータ可読媒体を含むことができる。したがって、本開示は図示の例に限定されない。
【０１３３】
[00147]上述の開示は、例示的な態様を示すが、様々な変形形態および変更形態が、添付の特許請求の範囲によって定義される本開示の範囲から逸脱することなく本明細書において作成可能であることに留意されたい。本明細書で説明した本開示の態様による方法クレームの機能、ステップおよび／またはアクションは、特定の順序で実施されなくてもよい。さらに、いくつかの態様は、単数形で説明または特許請求されていることがあるが、単数形に限定することが明示的に述べられていない限り、複数形が企図される。
【図１】
2018529260.tif 000003
【図２】
2018529260.tif 000004
【図３】
2018529260.tif 000005
【図４Ａ】
2018529260.tif 000006
【図４Ｂ】
2018529260.tif 000007
【図５】
2018529260.tif 000008
【図６Ａ】
2018529260.tif 000009
【図６Ｂ】
2018529260.tif 000010
【図７Ａ】
2018529260.tif 000011
【図７Ｂ】
2018529260.tif 000012
【図８】
2018529260.tif 000013
【図９Ａ】
2018529260.tif 000014
【図９Ｂ】
2018529260.tif 000015
【図１０】
2018529260.tif 000016
【図１１】
2018529260.tif 000017
【図１２】
2018529260.tif 000018
【図１３】
2018529260.tif 000019
【図１４】
2018529260.tif 000020
【国際調査報告】
2018529260.tif 000021
2018529260.tif 000022
2018529260.tif 000023
2018529260.tif 000024
2018529260.tif 000025
2018529260.tif 000026